(57)【要約】【課題】印刷に斑が生じにくくすることが可能なインクジェットプリンタを提供する。【解決手段】主走査方向Ｙの一方側から見たとき、紫外線照射装置５１〜５４の少なくとも一部は、それぞれ第１記録ヘッド４１および第２記録ヘッド４２と重なる。第１記録ヘッド４１の主走査方向Ｙの中間位置Ｌ１と第１紫外線照射装置５１の主走査方向Ｙの中間位置Ｌ３とについての主走査方向Ｙの距離Ｄ１は、第１記録ヘッド４１の中間位置Ｌ１と第２紫外線照射装置５２の主走査方向Ｙの中間位置Ｌ４とについての主走査方向Ｙの距離Ｄ２と等しい。第２記録ヘッド４２の主走査方向Ｙの中間位置Ｌ２と第３紫外線照射装置５３の主走査方向Ｙの中間位置Ｌ５とについての主走査方向Ｙの距離Ｄ３は、第２記録ヘッド４２の中間位置Ｌ２と第４紫外線照射装置５４の主走査方向Ｙの中間位置Ｌ６とについての主走査方向Ｙの距離Ｄ４と等しい。【選択図】図３
2015205407.tif 000002
【特許請求の範囲】
【請求項１】
主走査方向に延びたガイドレールと、
前記ガイドレールにスライド自在に係合し、前記主走査方向の一方から他方に向かう行き方向の移動中、または、他方から一方に向かう帰り方向の移動中の少なくとも一方において、記録媒体に向かって紫外線硬化インクを吐出する第１記録ヘッドと、
前記第１記録ヘッドよりも前記主走査方向の一方または他方の側に設けられ、前記ガイドレールにスライド自在に係合し、前記行き方向の移動中、または、前記帰り方向の移動中の少なくとも一方において、記録媒体に向かって紫外線硬化インクを吐出する第２記録ヘッドと、
前記第１記録ヘッドにおける前記主走査方向の他方側に設けられ、前記記録媒体に吐出された前記紫外線硬化インクに紫外線を照射する第１紫外線照射装置と、
前記第１記録ヘッドにおける前記主走査方向の一方側に設けられ、前記記録媒体に吐出された前記紫外線硬化インクに紫外線を照射する第２紫外線照射装置と、
前記第２記録ヘッドにおける前記主走査方向の他方側に設けられ、前記記録媒体に吐出された前記紫外線硬化インクに紫外線を照射する第３紫外線照射装置と、
前記第２記録ヘッドにおける前記主走査方向の一方側に設けられ、前記記録媒体に吐出された前記紫外線硬化インクに紫外線を照射する第４紫外線照射装置と、
を備え、
前記主走査方向の一方側から見たとき、前記第１紫外線照射装置、前記第２紫外線照射装置、前記第３紫外線照射装置および前記第４紫外線照射装置の少なくとも一部は、それぞれ前記第１記録ヘッドおよび前記第２記録ヘッドと重なり、
前記第１記録ヘッドの前記主走査方向の中間位置と前記第１紫外線照射装置の前記主走査方向の中間位置とについての前記主走査方向の距離は、前記第１記録ヘッドの前記主走査方向の中間位置と前記第２紫外線照射装置の前記主走査方向の中間位置とについての前記主走査方向の距離と等しく、
前記第２記録ヘッドの前記主走査方向の中間位置と前記第３紫外線照射装置の前記主走査方向の中間位置とについての前記主走査方向の距離は、前記第２記録ヘッドの前記主走査方向の中間位置と前記第４紫外線照射装置の前記主走査方向の中間位置とについての前記主走査方向の距離と等しい、インクジェットプリンタ。
【請求項２】
主走査方向に延びたガイドレールと、
前記ガイドレールにスライド自在に係合し、前記主走査方向の一方から他方に向かう行き方向の移動中、または、他方から一方に向かう帰り方向の移動中の少なくとも一方において、記録媒体に向かって紫外線硬化インクを吐出する第１記録ヘッドと、
前記第１記録ヘッドよりも前記主走査方向の一方または他方の側に設けられ、前記ガイドレールにスライド自在に係合し、前記行き方向の移動中、または、前記帰り方向の移動中の少なくとも一方において、記録媒体に向かって紫外線硬化インクを吐出する第２記録ヘッドと、
前記第１記録ヘッドおよび前記第２記録ヘッドにおける前記主走査方向の他方側に設けられ、前記記録媒体に吐出された前記紫外線硬化インクに紫外線を照射する第１紫外線照射装置と、
前記第１記録ヘッドおよび前記第２記録ヘッドにおける前記主走査方向の一方側に設けられ、前記記録媒体に吐出された前記紫外線硬化インクに紫外線を照射する第２紫外線照射装置と、
前記第２記録ヘッドにおける前記主走査方向の他方側に設けられ、前記記録媒体に吐出された前記紫外線硬化インクに紫外線を照射する第３紫外線照射装置と、
前記第２記録ヘッドにおける前記主走査方向の一方側に設けられ、前記記録媒体に吐出された前記紫外線硬化インクに紫外線を照射する第４紫外線照射装置と、
を備え、
前記主走査方向の一方側から見たとき、前記第１紫外線照射装置、前記第２紫外線照射装置、前記第３紫外線照射装置および前記第４紫外線照射装置の少なくとも一部は、それぞれ前記第１記録ヘッドおよび前記第２記録ヘッドと重なり、
前記第１記録ヘッドの前記主走査方向の中間位置と前記第１紫外線照射装置の前記主走査方向の中間位置とについての前記主走査方向の距離は、前記第１記録ヘッドの前記主走査方向の中間位置と前記第２紫外線照射装置の前記主走査方向の中間位置とについての前記主走査方向の距離と等しく、
前記第２記録ヘッドの前記主走査方向の中間位置と前記第３紫外線照射装置の前記主走査方向の中間位置とについての前記主走査方向の距離は、前記第２記録ヘッドの前記主走査方向の中間位置と前記第２紫外線照射装置の前記主走査方向の中間位置とについての前記主走査方向の距離と等しく、
前記第２記録ヘッドの前記主走査方向の中間位置と前記第１紫外線照射装置の前記主走査方向の中間位置とについての前記主走査方向の距離は、前記第２記録ヘッドの前記主走査方向の中間位置と前記第４紫外線照射装置の前記主走査方向の中間位置とについての前記主走査方向の距離と等しい、インクジェットプリンタ。
【請求項３】
前記第１記録ヘッドと、前記第２記録ヘッドと、前記第１紫外線照射装置と、前記第２紫外線照射装置と、前記第３紫外線照射装置と、前記第４紫外線照射装置とを制御する制御装置を備え、
前記制御装置は、
前記第１記録ヘッドが前記行き方向に移動しているときに前記紫外線硬化インクを吐出する際に、前記第２紫外線照射装置から紫外線を照射させ、前記第１記録ヘッドが前記帰り方向に移動しているときに前記紫外線硬化インクを吐出する際に、前記第１紫外線照射装置から紫外線を照射させ、前記第２記録ヘッドが前記行き方向に移動しているときに前記紫外線硬化インクを吐出する際に、前記第４紫外線照射装置から紫外線を照射させ、前記第２記録ヘッドが前記帰り方向に移動しているときに前記紫外線硬化インクを吐出する際に、前記第３紫外線照射装置から紫外線を照射させる第１印刷部と、
前記第１記録ヘッドまたは前記第２記録ヘッドが前記行き方向に移動しているときに前記紫外線硬化インクを吐出する際に、前記第２紫外線照射装置および第４紫外線照射装置から紫外線を照射させ、前記第１記録ヘッドまたは前記第２記録ヘッドが前記帰り方向に移動しているときに前記紫外線硬化インクを吐出する際に、前記第１紫外線照射装置および第３紫外線照射装置から紫外線を照射させる第２印刷部と、
を有する、請求項１に記載されたインクジェットプリンタ。
【請求項４】
前記第１記録ヘッドと、前記第２記録ヘッドと、前記第１紫外線照射装置と、前記第２紫外線照射装置と、前記第３紫外線照射装置と、前記第４紫外線照射装置とを制御する制御装置を備え、
前記制御装置は、
前記第１記録ヘッドが前記行き方向に移動しているときに前記紫外線硬化インクを吐出する際に、前記第２紫外線照射装置から紫外線を照射させ、前記第１記録ヘッドが前記帰り方向に移動しているときに前記紫外線硬化インクを吐出する際に、前記第１紫外線照射装置から紫外線を照射させ、前記第２記録ヘッドが前記行き方向に移動しているときに前記紫外線硬化インクを吐出する際に、前記第２紫外線照射装置から紫外線を照射させ、前記第２記録ヘッドが前記帰り方向に移動しているときに前記紫外線硬化インクを吐出する際に、前記第３紫外線照射装置から紫外線を照射させる第１印刷部と、
前記第１記録ヘッドまたは前記第２記録ヘッドが前記行き方向に移動しているときに前記紫外線硬化インクを吐出する際に、前記第２紫外線照射装置および第４紫外線照射装置から紫外線を照射させ、前記第１記録ヘッドまたは前記第２記録ヘッドが前記帰り方向に移動しているときに前記紫外線硬化インクを吐出する際に、前記第１紫外線照射装置および第３紫外線照射装置から紫外線を照射させる第２印刷部と、
を有する、請求項２に記載されたインクジェットプリンタ。
【請求項５】
前記第２印刷部が前記第１記録ヘッドおよび前記第２記録ヘッドを前記主走査方向に移動させるときの移動速度は、前記第１印刷部が前記第１記録ヘッドおよび前記第２記録ヘッドを前記主走査方向に移動させるときの移動速度よりも速い、請求項３または４に記載されたインクジェットプリンタ。
【請求項６】
前記第２記録ヘッドは、前記第１記録ヘッドよりも前記主走査方向の一方側に設けられ、
前記第２紫外線照射装置は、前記第２記録ヘッドと前記第４紫外線照射装置との間に設けられ、
前記第３紫外線照射装置は、前記第１記録ヘッドと前記第１紫外線照射装置との間に設けられている、請求項１から５までの何れか一つに記載されたインクジェットプリンタ。
【請求項７】
前記第１記録ヘッドと前記第２記録ヘッドとは、前記主走査方向に並んだ位置に設けられている、請求項１から６までの何れか一つに記載されたインクジェットプリンタ。
【請求項８】
前記第１記録ヘッドは、前記主走査方向に直交する副走査方向に配列された複数のノズルを有する第１ノズル列、第２ノズル列、第３ノズル列および第４ノズル列を備え、
前記第１ノズル列および前記第２ノズル列は、第１のインクを吐出し、
前記第３ノズル列および前記第４ノズル列は、第２のインクを吐出し、
前記第１ノズル列および前記第３ノズル列は、前記第１記録ヘッドの前記主走査方向の中間位置よりも前記主走査方向の一方側に配置され、
前記第２ノズル列および前記第４ノズル列は、前記第１記録ヘッドの前記主走査方向の中間位置よりも前記主走査方向の他方側に配置され、
前記第１記録ヘッドの前記主走査方向の中間位置と前記第１ノズル列とについての前記主走査方向の距離は、前記第１記録ヘッドの前記主走査方向の中間位置と前記第２ノズル列とについての前記主走査方向の距離と等しく、
前記第１記録ヘッドの前記主走査方向の中間位置と前記第３ノズル列とについての前記主走査方向の距離は、前記第１記録ヘッドの前記主走査方向の中間位置と前記第４ノズル列とについての前記主走査方向の距離と等しい、請求項１から７までの何れか一つに記載されたインクジェットプリンタ。
【請求項９】
前記第２記録ヘッドは、前記主走査方向に直交する副走査方向に配列された複数のノズルを有する第５ノズル列、第６ノズル列、第７ノズル列および第８ノズル列を備え、
前記第５ノズル列および前記第６ノズル列は、第３のインクを吐出し、
前記第７ノズル列および前記第８ノズル列は、第４のインクを吐出し、
前記第５ノズル列および前記第７ノズル列は、前記第２記録ヘッドの前記主走査方向の中間位置よりも前記主走査方向の一方側に配置され、
前記第６ノズル列および前記第８ノズル列は、前記第２記録ヘッドの前記主走査方向の中間位置よりも前記主走査方向の他方側に配置され、
前記第２記録ヘッドの前記主走査方向の中間位置と前記第５ノズル列とについての前記主走査方向の距離は、前記第２記録ヘッドの前記主走査方向の中間位置と前記第６ノズル列とについての前記主走査方向の距離と等しく、
前記第２記録ヘッドの前記主走査方向の中間位置と前記第７ノズル列とについての前記主走査方向の距離は、前記第２記録ヘッドの前記主走査方向の中間位置と前記第８ノズル列とについての前記主走査方向の距離と等しい、請求項１から８までの何れか一つに記載されたインクジェットプリンタ。
【請求項１０】
前記第１記録ヘッドは、前記主走査方向に直交する副走査方向に配列された複数のノズルを有する第１ノズル列および第２ノズル列を有し、
前記第１ノズル列は、前記第１記録ヘッドの前記主走査方向の中間位置よりも前記主走査方向の一方側に配置され、
前記第２ノズル列は、前記第１記録ヘッドの前記主走査方向の中間位置よりも前記主走査方向の他方側に配置され、
前記第１記録ヘッドの前記主走査方向の中間位置と前記第１ノズル列とについての前記主走査方向の距離は、前記第１記録ヘッドの前記主走査方向の中間位置と前記第２ノズル列とについての前記主走査方向の距離と等しく、
前記第１記録ヘッドが前記行き方向に移動しているときに、前記第１ノズル列および前記第２ノズル列の一方から前記紫外線硬化インクを吐出させかつ前記第２紫外線照射装置から紫外線を照射させ、前記第１記録ヘッドが前記帰り方向に移動しているときに、前記第１ノズル列および前記第２ノズル列の他方から前記紫外線硬化インクを吐出させかつ前記第１紫外線照射装置から紫外線を照射させる制御装置を備えている、請求項１または２に記載されたインクジェットプリンタ。
【請求項１１】
前記第１記録ヘッドは、プロセスカラーインクを吐出し、
前記第２記録ヘッドは、特色インクを吐出し、
前記第１記録ヘッドと前記第２記録ヘッドとは別体に形成されている、請求項１から１０までの何れか一つに記載されたインクジェットプリンタ。
【発明の詳細な説明】
【技術分野】
【０００１】
本発明は、インクジェットプリンタに関する。
【背景技術】
【０００２】
従来から、紫外線が照射されると硬化するインク（以下、紫外線硬化インクという。）を記録紙などの記録媒体に吐出する記録ヘッドと、記録媒体に吐出された紫外線硬化インクに紫外線を照射する紫外線照射装置とを備えたインクジェットプリンタが知られている（例えば、特許文献１および２）。
【０００３】
また、図１１に示すように、第１記録ヘッド１４１と、第２記録ヘッド１４２と、第１紫外線照射装置１５１と、第２紫外線照射装置１５２とを備えたインクジェットプリンタ１００が知られている。このインクジェットプリンタ１００では、記録媒体は、第１記録ヘッド１４１および第２記録ヘッド１４２よりも下方に配置される。第１記録ヘッド１４１および第２記録ヘッド１４２は、主走査方向Ｙのうち一方から他方（以下、行き方向Ｙ１という。）、および、他方から一方（以下、帰り方向Ｙ２という。）に移動するとき、記録媒体に向かって紫外線硬化インクを吐出する。第２記録ヘッド１４２は、第１記録ヘッド１４１の主走査方向Ｙの一方側に設けられている。第１紫外線照射装置１５１は、第１記録ヘッド１４１の主走査方向Ｙの他方側に設けられている。第２紫外線照射装置１５２は、第２記録ヘッド１４２の主走査方向Ｙの一方側に設けられている。第１記録ヘッド１４１および第２記録ヘッド１４２が行き方向Ｙ１に移動しているときに吐出した紫外線硬化インクは、第２紫外線照射装置１５２から照射された紫外線によって硬化される。一方、第１記録ヘッド１４１および第２記録ヘッド１４２が帰り方向Ｙ２に移動しているときに吐出した紫外線硬化インクは、第１紫外線照射装置１５１から照射された紫外線によって硬化される。
【先行技術文献】
【特許文献】
【０００４】
【特許文献１】特開２０１１−９３１７９号公報
【特許文献２】特許第４４５７６２２号公報
【発明の概要】
【発明が解決しようとする課題】
【０００５】
しかしながら、インクジェットプリンタ１００では、第１記録ヘッド１４１の主走査方向Ｙの中間位置Ｌ１０１と第１紫外線照射装置１５１の主走査方向Ｙの中間位置Ｌ１０３とにおける主走査方向Ｙの距離Ｄ１０１と、第１記録ヘッド１４１の中間位置Ｌ１０１と第２紫外線照射装置１５２の主走査方向Ｙの中間位置Ｌ１０４とにおける主走査方向Ｙの距離Ｄ１０２とは異なる。同様に、第２記録ヘッド１４２の主走査方向Ｙの中間位置Ｌ１０２と第１紫外線照射装置１５１の中間位置Ｌ１０３とにおける主走査方向Ｙの距離Ｄ１０３と、第２記録ヘッド１４２の中間位置Ｌ１０２と第２紫外線照射装置１５２の中間位置Ｌ１０４とにおける主走査方向Ｙの距離Ｄ１０４とは異なる。そのため、例えば、行き方向Ｙ１において、第１記録ヘッド１４１から吐出された紫外線硬化インクが硬化するまでの時間と、帰り方向Ｙ２において、第１記録ヘッド１４１から吐出された紫外線硬化インクが硬化するまでの時間とは異なる。紫外線硬化インクは、硬化するまでの時間が長い程、インクのドット径が大きくなってしまう。よって、この場合、行き方向Ｙ１と帰り方向Ｙ２とにおいて、記録媒体に吐出された紫外線硬化インクのそれぞれのドット径が異なることがある。その結果、印刷に斑が生じるおそれがある。
【０００６】
本発明はかかる点に鑑みてなされたものであり、その目的は、印刷に斑が生じにくくすることが可能なインクジェットプリンタを提供することである。
【課題を解決するための手段】
【０００７】
本発明のインクジェットプリンタは、主走査方向に延びたガイドレールと、前記ガイドレールにスライド自在に係合し、前記主走査方向の一方から他方に向かう行き方向の移動中、または、他方から一方に向かう帰り方向の移動中の少なくとも一方において、記録媒体に向かって紫外線硬化インクを吐出する第１記録ヘッドと、前記第１記録ヘッドよりも前記主走査方向の一方または他方の側に設けられ、前記ガイドレールにスライド自在に係合し、前記行き方向の移動中、または、前記帰り方向の移動中の少なくとも一方において、記録媒体に向かって紫外線硬化インクを吐出する第２記録ヘッドと、前記第１記録ヘッドにおける前記主走査方向の他方側に設けられ、前記記録媒体に吐出された前記紫外線硬化インクに紫外線を照射する第１紫外線照射装置と、前記第１記録ヘッドにおける前記主走査方向の一方側に設けられ、前記記録媒体に吐出された前記紫外線硬化インクに紫外線を照射する第２紫外線照射装置と、前記第２記録ヘッドにおける前記主走査方向の他方側に設けられ、前記記録媒体に吐出された前記紫外線硬化インクに紫外線を照射する第３紫外線照射装置と、前記第２記録ヘッドにおける前記主走査方向の一方側に設けられ、前記記録媒体に吐出された前記紫外線硬化インクに紫外線を照射する第４紫外線照射装置と、を備えている。前記主走査方向の一方側から見たとき、前記第１紫外線照射装置、前記第２紫外線照射装置、前記第３紫外線照射装置および前記第４紫外線照射装置の少なくとも一部は、それぞれ前記第１記録ヘッドおよび前記第２記録ヘッドと重なる。前記第１記録ヘッドの前記主走査方向の中間位置と前記第１紫外線照射装置の前記主走査方向の中間位置とについての前記主走査方向の距離は、前記第１記録ヘッドの前記主走査方向の中間位置と前記第２紫外線照射装置の前記主走査方向の中間位置とについての前記主走査方向の距離と等しい。前記第２記録ヘッドの前記主走査方向の中間位置と前記第３紫外線照射装置の前記主走査方向の中間位置とについての前記主走査方向の距離は、前記第２記録ヘッドの前記主走査方向の中間位置と前記第４紫外線照射装置の前記主走査方向の中間位置とについての前記主走査方向の距離と等しい。
【０００８】
前記インクジェットプリンタによれば、第１記録ヘッドの主走査方向の中間位置と第１紫外線照射装置の主走査方向の中間位置とについての主走査方向の距離は、第１記録ヘッドの主走査方向の中間位置と第２紫外線照射装置の主走査方向の中間位置とについての主走査方向の距離と等しい。第１記録ヘッドが行き方向に移動しているときに吐出した紫外線硬化インクは、第２紫外線照射装置から紫外線が照射されることで硬化する。また、第１記録ヘッドが帰り方向に移動しているときに吐出した紫外線硬化インクは、第１紫外線照射装置から紫外線が照射されることで硬化する。そのため、第１記録ヘッドが行き方向および帰り方向に移動しているときに吐出した紫外線硬化インクが記録媒体に着弾後、紫外線によって硬化を開始するまでのタイミング（時間）はそれぞれ等しい。よって、第１記録ヘッドが行き方向および帰り方向に移動しているときに吐出した紫外線硬化インクのそれぞれのドット径は等しい。したがって、第１記録ヘッドから記録媒体に紫外線硬化インクが吐出されて出来た印刷物に印刷の斑が生じにくくすることができる。
【０００９】
また、第２記録ヘッドの主走査方向の中間位置と第３紫外線照射装置の主走査方向の中間位置とについての主走査方向の距離は、第２記録ヘッドの主走査方向の中間位置と第４紫外線照射装置の主走査方向の中間位置とについての主走査方向の距離と等しい。第２記録ヘッドが行き方向に移動しているときに吐出した紫外線硬化インクは、第４紫外線照射装置から紫外線が照射されることで硬化する。また、第２記録ヘッドが帰り方向に移動しているときに吐出した紫外線硬化インクは、第３紫外線照射装置から紫外線が照射されることで硬化する。そのため、第２記録ヘッドが行き方向および帰り方向に移動しているときに吐出した紫外線硬化インクが記録媒体に着弾後、紫外線によって硬化を開始するまでのタイミング（時間）はそれぞれ等しい。よって、第２記録ヘッドが行き方向および帰り方向に移動しているときに吐出した紫外線硬化インクのそれぞれのドット径は等しい。したがって、第２記録ヘッドから記録媒体に紫外線硬化インクが吐出されて出来た印刷物の印刷の斑が生じにくくすることができる。
【００１０】
本発明の他のインクジェットプリンタは、主走査方向に延びたガイドレールと、前記ガイドレールにスライド自在に係合し、前記主走査方向の一方から他方に向かう行き方向の移動中、または、他方から一方に向かう帰り方向の移動中の少なくとも一方において、記録媒体に向かって紫外線硬化インクを吐出する第１記録ヘッドと、前記第１記録ヘッドよりも前記主走査方向の一方または他方の側に設けられ、前記ガイドレールにスライド自在に係合し、前記行き方向の移動中、または、前記帰り方向の移動中の少なくとも一方において、記録媒体に向かって紫外線硬化インクを吐出する第２記録ヘッドと、前記第１記録ヘッドおよび前記第２記録ヘッドにおける前記主走査方向の他方側に設けられ、前記記録媒体に吐出された前記紫外線硬化インクに紫外線を照射する第１紫外線照射装置と、前記第１記録ヘッドおよび前記第２記録ヘッドにおける前記主走査方向の一方側に設けられ、前記記録媒体に吐出された前記紫外線硬化インクに紫外線を照射する第２紫外線照射装置と、前記第２記録ヘッドにおける前記主走査方向の他方側に設けられ、前記記録媒体に吐出された前記紫外線硬化インクに紫外線を照射する第３紫外線照射装置と、前記第２記録ヘッドにおける前記主走査方向の一方側に設けられ、前記記録媒体に吐出された前記紫外線硬化インクに紫外線を照射する第４紫外線照射装置と、を備えている。前記主走査方向の一方側から見たとき、前記第１紫外線照射装置、前記第２紫外線照射装置、前記第３紫外線照射装置および前記第４紫外線照射装置の少なくとも一部は、それぞれ前記第１記録ヘッドおよび前記第２記録ヘッドと重なる。前記第１記録ヘッドの前記主走査方向の中間位置と前記第１紫外線照射装置の前記主走査方向の中間位置とについての前記主走査方向の距離は、前記第１記録ヘッドの前記主走査方向の中間位置と前記第２紫外線照射装置の前記主走査方向の中間位置とについての前記主走査方向の距離と等しい。前記第２記録ヘッドの前記主走査方向の中間位置と前記第３紫外線照射装置の前記主走査方向の中間位置とについての前記主走査方向の距離は、前記第２記録ヘッドの前記主走査方向の中間位置と前記第２紫外線照射装置の前記主走査方向の中間位置とについての前記主走査方向の距離と等しい。前記第２記録ヘッドの前記主走査方向の中間位置と前記第１紫外線照射装置の前記主走査方向の中間位置とについての前記主走査方向の距離は、前記第２記録ヘッドの前記主走査方向の中間位置と前記第４紫外線照射装置の前記主走査方向の中間位置とについての前記主走査方向の距離と等しい。
【００１１】
前記インクジェットプリンタによれば、第１記録ヘッドが行き方向に移動しているときに吐出した紫外線硬化インクは、第２紫外線照射装置から紫外線が照射されることで硬化する。また、第１記録ヘッドが帰り方向に移動しているときに吐出した紫外線硬化インクは、第１紫外線照射装置から紫外線が照射されることで硬化する。そのため、第１記録ヘッドが行き方向および帰り方向に移動しているときに吐出した紫外線硬化インクが記録媒体に着弾後、紫外線によって硬化を開始するまでのタイミング（時間）はそれぞれ等しい。よって、第１記録ヘッドが行き方向および帰り方向に移動しているときに吐出した紫外線硬化インクのそれぞれのドット径は等しい。したがって、第１記録ヘッドから記録媒体に紫外線硬化インクが吐出されて出来た印刷物に印刷の斑が生じにくくすることができる。
【００１２】
また、第２記録ヘッドが行き方向に移動しているときに吐出した紫外線硬化インクは、第２紫外線照射装置から紫外線が照射されることで硬化する。また、第２記録ヘッドが帰り方向に移動しているときに吐出した紫外線硬化インクは、第３紫外線照射装置から紫外線が照射されることで硬化する。そのため、第２記録ヘッドが行き方向および帰り方向に移動しているときに吐出した紫外線硬化インクが記録媒体に着弾後、紫外線によって硬化を開始するまでのタイミング（時間）はそれぞれ等しい。よって、第２記録ヘッドが行き方向および帰り方向に移動しているときに吐出した紫外線硬化インクのそれぞれのドット径は等しい。したがって、第２記録ヘッドから記録媒体に紫外線硬化インクが吐出されて出来た印刷物の印刷の斑が生じにくくすることができる。
【００１３】
本発明の好ましい一態様によれば、前記第１記録ヘッドと、前記第２記録ヘッドと、前記第１紫外線照射装置と、前記第２紫外線照射装置と、前記第３紫外線照射装置と、前記第４紫外線照射装置とを制御する制御装置を備えている。前記制御装置は、前記第１記録ヘッドが前記行き方向に移動しているときに前記紫外線硬化インクを吐出する際に、前記第２紫外線照射装置から紫外線を照射させ、前記第１記録ヘッドが前記帰り方向に移動しているときに前記紫外線硬化インクを吐出する際に、前記第１紫外線照射装置から紫外線を照射させ、前記第２記録ヘッドが前記行き方向に移動しているときに前記紫外線硬化インクを吐出する際に、前記第４紫外線照射装置から紫外線を照射させ、前記第２記録ヘッドが前記帰り方向に移動しているときに前記紫外線硬化インクを吐出する際に、前記第３紫外線照射装置から紫外線を照射させる第１印刷部と、前記第１記録ヘッドまたは前記第２記録ヘッドが前記行き方向に移動しているときに前記紫外線硬化インクを吐出する際に、前記第２紫外線照射装置および第４紫外線照射装置から紫外線を照射させ、前記第１記録ヘッドまたは前記第２記録ヘッドが前記帰り方向に移動しているときに前記紫外線硬化インクを吐出する際に、前記第１紫外線照射装置および第３紫外線照射装置から紫外線を照射させる第２印刷部と、を有する。
【００１４】
上記態様によれば、第１印刷部における印刷と、第２印刷部における印刷とにおいて、記録媒体に吐出された紫外線硬化インクに照射される紫外線の光量が異なる。よって、必要に応じて、記録媒体に吐出された紫外線硬化インクに照射される紫外線の光量を調節することができる。
【００１５】
本発明の好ましい他の一態様によれば、前記第１記録ヘッドと、前記第２記録ヘッドと、前記第１紫外線照射装置と、前記第２紫外線照射装置と、前記第３紫外線照射装置と、前記第４紫外線照射装置とを制御する制御装置を備えている。前記制御装置は、前記第１記録ヘッドが前記行き方向に移動しているときに前記紫外線硬化インクを吐出する際に、前記第２紫外線照射装置から紫外線を照射させ、前記第１記録ヘッドが前記帰り方向に移動しているときに前記紫外線硬化インクを吐出する際に、前記第１紫外線照射装置から紫外線を照射させ、前記第２記録ヘッドが前記行き方向に移動しているときに前記紫外線硬化インクを吐出する際に、前記第２紫外線照射装置から紫外線を照射させ、前記第２記録ヘッドが前記帰り方向に移動しているときに前記紫外線硬化インクを吐出する際に、前記第３紫外線照射装置から紫外線を照射させる第１印刷部と、前記第１記録ヘッドまたは前記第２記録ヘッドが前記行き方向に移動しているときに前記紫外線硬化インクを吐出する際に、前記第２紫外線照射装置および第４紫外線照射装置から紫外線を照射させ、前記第１記録ヘッドまたは前記第２記録ヘッドが前記帰り方向に移動しているときに前記紫外線硬化インクを吐出する際に、前記第１紫外線照射装置および第３紫外線照射装置から紫外線を照射させる第２印刷部と、を有する。
【００１６】
上記態様によれば、第１印刷部による印刷と、第２印刷部による印刷とでは、記録媒体に吐出された紫外線硬化インクに照射される紫外線の光量が異なる。よって、紫外線硬化インクに照射される紫外線の光量を適宜調節することができる。
【００１７】
本発明の好ましい他の一態様によれば、前記第２印刷部が前記第１記録ヘッドおよび前記第２記録ヘッドを前記主走査方向に移動させるときの移動速度は、前記第１印刷部が前記第１記録ヘッドおよび前記第２記録ヘッドを前記主走査方向に移動させるときの移動速度よりも速い。
【００１８】
上記態様によれば、第１印刷部によって低速印刷が行われ、第２印刷部によって高速印刷が行われる。低速印刷では、各紫外線照射装置が、紫外線硬化インクが吐出された記録媒体上を通過する時間は、高速印刷の場合に比べて遅い。そのため、低速印刷では、紫外線硬化インクに照射される紫外線の単位時間当たりの量が高速印刷の場合に比べて多い。よって、低速印刷では、例えば、行き方向における第１記録ヘッドによる印刷の場合、第１印刷部は、第２紫外線照射装置から紫外線を照射させる。帰り方向における第１記録ヘッドによる印刷の場合、第１印刷部は、第１紫外線照射装置から紫外線を照射させる。
【００１９】
一方、高速印刷では、各紫外線照射装置が、紫外線硬化インクが吐出された記録媒体上を通過する時間は、低速印刷の場合に比べて早い。そのため、高速印刷では、紫外線硬化インクに照射される紫外線の単位時間当たりの量が低速印刷の場合に比べて少ない。そこで、高速印刷では、例えば、行き方向における第１記録ヘッドによる印刷の場合、第２印刷部は、第２紫外線照射装置および第４紫外線照射装置から紫外線を照射させる。帰り方向における第１記録ヘッドによる印刷の場合、第２印刷部は、第１紫外線照射装置および第３紫外線照射装置から紫外線を照射させる。このことによって、高速印刷において、記録媒体に吐出された紫外線硬化インクに照射される紫外線の光量を多くしている。よって、低速印刷および高速印刷において、記録媒体に吐出された紫外線硬化インクに紫外線を十分に照射させることができる。したがって、紫外線硬化インクを十分に硬化させることができる。第１記録ヘッドおよび第２記録ヘッドの移動速度に応じて、記録媒体に吐出された紫外線硬化インクに照射する紫外線の光量を調節することができる。
【００２０】
本発明の好ましい他の一態様によれば、前記第２記録ヘッドは、前記第１記録ヘッドよりも前記主走査方向の一方側に設けられている。前記第２紫外線照射装置は、前記第２記録ヘッドと前記第４紫外線照射装置との間に設けられている。前記第３紫外線照射装置は、前記第１記録ヘッドと前記第１紫外線照射装置との間に設けられている。
【００２１】
例えば、第２紫外線照射装置が第４紫外線照射装置よりも主走査方向の一方側（第２記録ヘッドと反対側）に設けられているとする。この場合、第１記録ヘッドの主走査方向の中間位置と第２紫外線照射装置の主走査方向の中間位置とについての主走査方向の距離は、第２記録ヘッドの主走査方向の中間位置と第４紫外線照射装置の主走査方向の中間位置とについての主走査方向の距離よりも長くなる。また、例えば、第３紫外線照射装置が第１紫外線照射装置よりも主走査方向の他方側（第１記録ヘッドと反対側）に設けられているとする。この場合、第２記録ヘッドの主走査方向の中間位置と第３紫外線照射装置の主走査方向の中間位置とについての主走査方向の距離は、第１記録ヘッドの主走査方向の中間位置と第１紫外線照射装置の主走査方向の中間位置とについての主走査方向の距離よりも長くなる。そのため、これらの場合、第１記録ヘッド、第２記録ヘッド、第１紫外線照射装置、第２紫外線照射装置、第３紫外線照射装置および第４紫外線照射装置の全体における主走査方向の長さが長くなる。しかし、上記態様によれば、第１記録ヘッドと第２記録ヘッドを隣接させ、かつ、第２記録ヘッドの主走査方向の一方側（第１記録ヘッドと反対側）に、第２記録ヘッドと隣接するように第２紫外線照射装置を配置することができる。また、第１記録ヘッドの主走査方向の他方側（第２記録ヘッドと反対側）に、第１記録ヘッドと隣接するように第３紫外線照射装置を配置することができる。よって、第１記録ヘッド、第２記録ヘッド、第１紫外線照射装置、第２紫外線照射装置、第３紫外線照射装置および第４紫外線照射装置の全体における主走査方向の長さを短くすることができる。そのため、インクジェットプリンタを小型化することができる。
【００２２】
本発明の好ましい他の一態様によれば、前記第１記録ヘッドと前記第２記録ヘッドとは、前記主走査方向に並んだ位置に設けられている。
【００２３】
例えば、第２記録ヘッドが、第１記録ヘッドに対して、主走査方向に直交する方向（以下、副走査方向という。）にずれた位置に設けられている場合、第１記録ヘッドおよび第２記録ヘッドの全体における副走査方向の長さが長くなる。しかし、上記態様によれば、第１記録ヘッドと第２記録ヘッドとは、主走査方向に並んだ位置に設けられている。そのため、第１記録ヘッドおよび第２記録ヘッドの全体における副走査方向の長さを短くすることができる。
【００２４】
本発明の好ましい他の一態様によれば、前記第１記録ヘッドは、前記主走査方向に直交する副走査方向に配列された複数のノズルを有する第１ノズル列、第２ノズル列、第３ノズル列および第４ノズル列を備えている。前記第１ノズル列および前記第２ノズル列は、第１のインクを吐出する。前記第３ノズル列および前記第４ノズル列は、第２のインクを吐出する。前記第１ノズル列および前記第３ノズル列は、前記第１記録ヘッドの前記主走査方向の中間位置よりも前記主走査方向の一方側に配置されている。前記第２ノズル列および前記第４ノズル列は、前記第１記録ヘッドの前記主走査方向の中間位置よりも前記主走査方向の他方側に配置されている。前記第１記録ヘッドの前記主走査方向の中間位置と前記第１ノズル列とについての前記主走査方向の距離は、前記第１記録ヘッドの前記主走査方向の中間位置と前記第２ノズル列とについての前記主走査方向の距離と等しい。前記第１記録ヘッドの前記主走査方向の中間位置と前記第３ノズル列とについての前記主走査方向の距離は、前記第１記録ヘッドの前記主走査方向の中間位置と前記第４ノズル列とについての前記主走査方向の距離と等しい。
【００２５】
上記態様によれば、第１記録ヘッドの主走査方向の中間位置よりも主走査方向の一方側に配置された第１ノズル列と第２紫外線照射装置との距離は、第１記録ヘッドの主走査方向の中間位置よりも主走査方向の他方側に配置された第２ノズル列と第１紫外線照射装置との距離と等しい。また、第１記録ヘッドの主走査方向の中間位置よりも主走査方向の一方側に配置された第３ノズル列と第２紫外線照射装置との距離は、第１記録ヘッドの主走査方向の中間位置よりも主走査方向の他方側に配置された第４ノズル列と第１紫外線照射装置との距離と等しい。そのため、主走査方向の一方側に配置された第１ノズル列から吐出された第１のインクと、主走査方向の他方側に配置された第２ノズル列から吐出された第１のインクとが紫外線によって硬化される時間はそれぞれ等しい。よって、第１ノズル列および第２ノズル列から吐出された第１のインクのそれぞれのドット径は等しい。また、同様に、主走査方向の一方側に配置された第３ノズル列から吐出された第２のインクと、主走査方向の他方側に配置された第４ノズル列から吐出された第２のインクとが紫外線によって硬化される時間はそれぞれ等しい。よって、第３ノズル列および第４ノズル列から吐出された第２のインクのそれぞれのドット径は等しい。したがって、第１記録ヘッドから記録媒体に紫外線硬化インクが吐出されて出来た印刷物に対する印刷の斑が更に生じにくくすることができる。
【００２６】
本発明の好ましい他の一態様によれば、前記第２記録ヘッドは、前記主走査方向に直交する副走査方向に配列された複数のノズルを有する第５ノズル列、第６ノズル列、第７ノズル列および第８ノズル列を備えている。前記第５ノズル列および前記第６ノズル列は、第３のインクを吐出する。前記第７ノズル列および前記第８ノズル列は、第４のインクを吐出する。前記第５ノズル列および前記第７ノズル列は、前記第２記録ヘッドの前記主走査方向の中間位置よりも前記主走査方向の一方側に配置されている。前記第６ノズル列および前記第８ノズル列は、前記第２記録ヘッドの前記主走査方向の中間位置よりも前記主走査方向の他方側に配置されている。前記第２記録ヘッドの前記主走査方向の中間位置と前記第５ノズル列とについての前記主走査方向の距離は、前記第２記録ヘッドの前記主走査方向の中間位置と前記第６ノズル列とについての前記主走査方向の距離と等しい。前記第２記録ヘッドの前記主走査方向の中間位置と前記第７ノズル列とについての前記主走査方向の距離は、前記第２記録ヘッドの前記主走査方向の中間位置と前記第８ノズル列とについての前記主走査方向の距離と等しい。
【００２７】
上記態様によれば、第２記録ヘッドの主走査方向の中間位置よりも主走査方向の一方側に配置された第５ノズル列と第４紫外線照射装置との距離は、第２記録ヘッドの主走査方向の中間位置よりも主走査方向の他方側に配置された第６ノズル列と第３紫外線照射装置との距離と等しい。また、第２記録ヘッドの主走査方向の中間位置よりも主走査方向の一方側に配置された第７ノズル列と第４紫外線照射装置との距離は、第２記録ヘッドの主走査方向の中間位置よりも主走査方向の他方側に配置された第８ノズル列と第３紫外線照射装置との距離と等しい。そのため、主走査方向の一方側に配置された第５ノズル列から吐出された第３のインクと、主走査方向の他方側に配置された第６ノズル列から吐出された第３のインクとが紫外線によって硬化される時間はそれぞれ等しい。よって、第５ノズル列および第６ノズル列から吐出された第３のインクのそれぞれのドット径は等しい。また、同様に、主走査方向の一方側に配置された第７ノズル列から吐出された第４のインクと、主走査方向の他方側に配置された第８ノズル列から吐出された第４のインクとが紫外線によって硬化される時間はそれぞれ等しい。よって、第７ノズル列および第８ノズル列から吐出された第４のインクのそれぞれのドット径は等しい。したがって、第２記録ヘッドから記録媒体に紫外線硬化インクが吐出されて出来た印刷物に対する印刷の斑が更に生じにくくすることができる。
【００２８】
本発明の好ましい他の一態様によれば、前記第１記録ヘッドは、前記主走査方向に直交する副走査方向に配列された複数のノズルを有する第１ノズル列および第２ノズル列を有している。前記第１ノズル列は、前記第１記録ヘッドの前記主走査方向の中間位置よりも前記主走査方向の一方側に配置されている。前記第２ノズル列は、前記第１記録ヘッドの前記主走査方向の中間位置よりも前記主走査方向の他方側に配置されている。前記第１記録ヘッドの前記主走査方向の中間位置と前記第１ノズル列とについての前記主走査方向の距離は、前記第１記録ヘッドの前記主走査方向の中間位置と前記第２ノズル列とについての前記主走査方向の距離と等しい。前記第１記録ヘッドが前記行き方向に移動しているときに、前記第１ノズル列および前記第２ノズル列の一方から前記紫外線硬化インクを吐出させかつ前記第２紫外線照射装置から紫外線を照射させ、前記第１記録ヘッドが前記帰り方向に移動しているときに、前記第１ノズル列および前記第２ノズル列の他方から前記紫外線硬化インクを吐出させかつ前記第１紫外線照射装置から紫外線を照射させる制御装置を備えている。
【００２９】
上記態様によれば、第１記録ヘッドの主走査方向の中間位置よりも主走査方向の一方側に配置された第１ノズル列と第２紫外線照射装置との距離は、第１記録ヘッドの主走査方向の中間位置よりも主走査方向の他方側に配置された第２ノズル列と第１紫外線照射装置との距離と等しい。そのため、行き方向の印刷において、第１ノズル列から吐出されたインクのドット径と、帰り方向の印刷において、第２ノズル列から吐出されたインクのドット径とは、等しい。したがって、第１記録ヘッドから記録媒体にインクが吐出されて出来た印刷物に対する印刷の斑が更に生じにくくすることができる。
【００３０】
本発明の好ましい他の一態様によれば、前記第１記録ヘッドは、プロセスカラーインクを吐出する。前記第２記録ヘッドは、特色インクを吐出する。前記第１記録ヘッドと前記第２記録ヘッドとは別体に形成されている。
【００３１】
プロセスカラーインクとは、例えば、シアンインク、マゼンタインク、イエローインク、ブラックインクである。特色インクとは、例えば、グロスインク、ホワイトインク、プライマーインクである。プロセスカラーインクは、特色インクと比べて使用頻度が高い。仮に、第１記録ヘッドと第２記録ヘッドとが一体的に形成されている場合、ヘッドクリーニングをする際、第１記録ヘッドおよび第２記録ヘッドを共にクリーニングする。そのため、本来ならヘッドクリーニングをする必要がない記録ヘッドもクリーニングすることがあり得る。しかし、上記態様では、第１記録ヘッドと第２記録ヘッドとが別体に形成されているため、第１記録ヘッドと第２記録ヘッドとを別々にクリーニングすることができる。よって、無駄なヘッドクリーニングを削減することができると共に、無駄なインクの消費を防止することができる。
【発明の効果】
【００３２】
本発明によれば、印刷に斑が生じにくくすることが可能なインクジェットプリンタを提供することができる。
【図面の簡単な説明】
【００３３】
【図１】第１実施形態に係るプリンタの斜視図である。
【図２】プリンタの内部構成を示す平面図である。
【図３】第１記録ヘッド、第２記録ヘッド、第１紫外線照射装置、第２紫外線照射装置、第３紫外線照射装置、および、第４紫外線照射装置を模式的に示す図である。
【図４】第１記録ヘッドの吐出部を模式的に示す図である。
【図５】第２記録ヘッドの吐出部を模式的に示す図である。
【図６】プリンタの主要要素を示すブロック図である。
【図７】記録紙に吐出されたインクの時間経過に伴う変化を示す図である。
【図８】第２実施形態に係るプリンタの第１記録ヘッド、第２記録ヘッド、第１紫外線照射装置、第２紫外線照射装置、第３紫外線照射装置、および、第４紫外線照射装置を模式的に示す図である。
【図９】紫外線照射装置の照度を示すグラフである。
【図１０】変形例に係る第１記録ヘッド、第２記録ヘッド、第３記録ヘッド、第１紫外線照射装置、第２紫外線照射装置、第３紫外線照射装置、および、第４紫外線照射装置を模式的に示す図である。
【図１１】従来例に係る第１記録ヘッド、第２記録ヘッド、第１紫外線照射装置および第２紫外線照射装置を模式的に示す平面図である。
【発明を実施するための形態】
【００３４】
以下、本発明の実施形態に係るインクジェットプリンタ（以下、プリンタという。）について説明する。ここで説明される実施形態は、当然ながら特に本発明を限定することを意図したものではない。また、同じ作用を奏する部材・部位には同じ符号を付し、重複する説明は省略または簡略化する。
【００３５】
＜第１実施形態＞
先ず、第１実施形態に係るプリンタ１について説明する。図１は、第１本実施形態に係るプリンタ１の斜視図である。図２は、プリンタ１の内部構成を示す平面図である。なお、以下の図面において、符号Ｆ、Ｒｒ、ＬおよびＲは、それぞれ前、後、左および右を示している。ただし、これらは説明の便宜上の方向に過ぎず、プリンタ１の設置態様を何ら限定するものではない。また、符号Ｙは主走査方向を示している。符号Ｘは、主走査方向Ｙと直交する副走査方向を示している。ただし、主走査方向Ｙおよび副走査方向Ｘの各方向は特に限定されない。主走査方向Ｙおよび副走査方向Ｘは、プリンタ１の形態などに応じて適宜に設定可能である。
【００３６】
図１に示すように、プリンタ１は、記録紙５に印刷を行う。記録紙５は記録媒体の一例である。記録紙５はロール状の記録媒体である。記録紙５はいわゆるロール紙である。しかし、本発明の記録媒体は、記録紙５に限定されない。例えば、記録媒体は、樹脂製のシートであってもよい。また、記録媒体は、可撓性を有するシートに限定されない。例えば、記録媒体は、ガラス基板などの材質が硬い記録媒体であってもよい。
【００３７】
本実施形態では、プリンタ１は、主走査方向Ｙに延びるプリンタ本体１０と、プリンタ本体１０を支持する脚１１とを備えている。プリンタ本体１０の右側には、操作パネル１２が設けられている。図示は省略するが、操作パネル１２は、表示部と入力部とを備えている。上記表示部には、モノクロ印刷またはカラー印刷、解像度、インクの濃さなどの印刷に関する情報が表示される。上記入力部は、上記表示部に表示された情報を利用者が入力するものである。
【００３８】
プリンタ本体１０には、カバー１５が設けられている。ここでは、カバー１５は、プリンタ本体１０の上側部分に取り付けられている。カバー１５は、開閉自在である。プリンタ本体１０の下側部分には、記録紙５を排出する排出口１３が形成されている。排出口１３の前方かつ下方の位置には、排出口１３から排出される記録紙５を前方斜め下向きに案内するガイド１４が設けられている。
【００３９】
次に、プリンタ本体１０の内部構成について説明する。図２に示すように、プリンタ１は、ガイドレール２０とプラテン２５とを備えている。ガイドレール２０は、プリンタ本体１０の内部に設けられている。ガイドレール２０は、主走査方向Ｙに延びている。
【００４０】
プラテン２５は、記録紙５へ印刷する際、記録紙５を支持するものである。記録紙５への印刷は、プラテン２５上で行われる。プラテン２５は、ガイドレール２０の中央部の前方に配置されている。プラテン２５は、主走査方向Ｙに延びている。
【００４１】
ガイドレール２０の右端部分の近傍には、プーリ２１が設けられている。ガイドレール２０の左端部分の近傍には、プーリ２２が設けられている。プーリ２１とプーリ２２とには、無端状のベルト２３が巻き掛けられている。プーリ２１には、サーボモータ２４が連結されている。サーボモータ２４がプーリ２１を駆動すると、プーリ２１とプーリ２２との間においてベルト２３が走行する。なお、本実施形態では、プーリ２１が駆動されるが、プーリ２２が駆動されるように構成されてもよい。この場合、プーリ２２には、サーボモータ２４が連結される。
【００４２】
ベルト２３には、キャリッジ３０が取り付けられている。図示は省略するが、キャリッジ３０は、ガイドレール２０に係合している。そのため、キャリッジ３０は、ベルト２３の走行に従って、ガイドレール２０に沿って主走査方向Ｙに移動する。
【００４３】
プラテン２５の左端部および右端部には、記録紙５を副走査方向Ｘに搬送させる上下一対のローラ２６（なお、図２では上側のローラ２６のみ図示されている。）がそれぞれ配置されている。ただし、上下一対のローラ２６の設置位置は、プラテン２５の左端部および右端部に限定されない。上下一対のローラ２６のうち、何れか一方のローラ２６は自ら回転する駆動ローラである。他方のローラ２６は、当該駆動ローラと共に記録紙５を挟み込むためのピンチローラである。ローラ２６のうちピンチローラは、記録紙５の厚さに応じて上下方向の位置を設定可能に構成されており、利用者により操作可能に構成されている。
【００４４】
本実施形態では、プリンタ１は、第１記録ヘッド４１と第２記録ヘッド４２とを備えている。第１記録ヘッド４１および第２記録ヘッド４２は、下方に向かって記録紙５にインクを吐出する。このインクは、紫外線が照射されると硬化するインク、すなわち、紫外線硬化インクである。
【００４５】
第１記録ヘッド４１および第２記録ヘッド４２は、主走査方向Ｙに移動自在なようにガイドレール２０にスライド自在に係合している。本実施形態では、第１記録ヘッド４１および第２記録ヘッド４２は、キャリッジ３０に取り付けられている。第１記録ヘッド４１および第２記録ヘッド４２は、主走査方向Ｙの行き方向Ｙ１の移動中、および、帰り方向Ｙ２の移動中に記録紙５に向かってインクを吐出する。ここで、図２などにおいて、行き方向Ｙ１とは、右から左へ向かう方向のことをいい、帰り方向Ｙ２とは、左から右へ向かう方向のことをいう。以下の説明では、行き方向を左方向Ｙ１ともいい、帰り方向を右方向Ｙ２ともいう。本実施形態では、プリンタ１は、双方向印刷が可能なものである。図示は省略するが、プリンタ本体１０の後部には、インクが充填されたインクカードリッジが取り付けられている。第１記録ヘッド４１および第２記録ヘッド４２は、チューブ（図示せず）などを介して上記インクカードリッジに接続されている。第１記録ヘッド４１および第２記録ヘッド４２には、上記インクカードリッジからインクが供給される。本実施形態では、主走査方向Ｙの左方向Ｙ１および右方向Ｙ２において、第１記録ヘッド４１および第２記録ヘッド４２のうち一方の記録ヘッドからのみインクを吐出する。すなわち、第１記録ヘッド４１からインクが吐出されているときは、第２記録ヘッド４２からインクは吐出されない。また、第２記録ヘッド４２からインクが吐出されているときは、第１記録ヘッド４１からインクは吐出されない。
【００４６】
図３は、第１記録ヘッド４１、第２記録ヘッド４２、第１紫外線照射装置５１、第２紫外線照射装置５２、第３紫外線照射装置５３、および、第４紫外線照射装置５４を模式的に示す平面図である。図３に示すように、第１記録ヘッド４１と第２記録ヘッド４２とは、別体に形成されている。ここでは、第１記録ヘッド４１は、連結部材４８を介して第２記録ヘッド４２と連結している。ただし、第１記録ヘッド４１と第２記録ヘッド４２とは、一体的に形成されていてもよい。第１記録ヘッド４１と第２記録ヘッド４２とは、主走査方向Ｙにずれた位置に設けられている。本実施形態では、第１記録ヘッド４１は、第２記録ヘッド４２の左側に設けられている。ただし、第１記録ヘッド４１は、第２記録ヘッド４２の右側に設けられてもよい。第１記録ヘッド４１と第２記録ヘッド４２とは、主走査方向Ｙに並んで配置されている。ここでは、第１記録ヘッド４１と第２記録ヘッド４２とは、副走査方向Ｘに完全に一致した位置に設けられている。ただし、第１記録ヘッド４１と第２記録ヘッド４２とは、副走査方向Ｘにずれた位置に設けられていてもよい。第１記録ヘッド４１および第２記録ヘッド４２の大きさは特に限定されない。第１記録ヘッド４１と第２記録ヘッド４２とは、同じ大きさであってもよいし、異なった大きさであってもよい。例えば、第１記録ヘッド４１および第２記録ヘッド４２の主走査方向Ｙの長さは約３０ｍｍである。第１記録ヘッド４１および第２記録ヘッド４２の副走査方向Ｘの長さは約４０ｍｍである。
【００４７】
第１記録ヘッド４１から吐出されるインクは、例えば、シアンインク（Ｃ）、マゼンタインク（Ｍ）、イエローインク（Ｙ）、ブラックインク（Ｋ）である。シアンインク、マゼンタインク、イエローインク、ブラックインクは、カラー画像を形成するためのインクであり、いわゆるプロセスカラーインクと呼ばれる。ただし、第１記録ヘッド４１から吐出されるインクの種類および数は特に限定されない。例えば、第１記録ヘッド４１から吐出されるインクは、上述したシアンインク、マゼンタインク、イエローインク、ブラックインクの他に、ライトシアンおよびライトマゼンタを含めた６種類のインクであってもよい。ここでは、例えば、シアンインクが「第１のインク」に対応し、マゼンタインクが「第２のインク」に対応する。
【００４８】
図４は、第１記録ヘッド４１の吐出部４３Ｃ、４３Ｍ、４３Ｙ、４３Ｋを模式的に示す図であり、第１記録ヘッド４１を下から見た図である。図４に示すように、第１記録ヘッド４１は、副走査方向Ｘに配列された複数のノズルを有する複数の吐出部を備えている。第１記録ヘッド４１は、シアンインクを吐出する２つの吐出部４３Ｃと、マゼンタインクを吐出する２つの吐出部４３Ｍと、イエローインクを吐出する２つの吐出部４３Ｙと、ブラックインクを吐出する２つの吐出部４３Ｋとを備えている。
【００４９】
これらの吐出部４３Ｃ、４３Ｍ、４３Ｙ、４３Ｋには、それぞれ副走査方向Ｘに並ぶ複数のノズル４５が形成されている。なお、図４には、第１記録ヘッドの各吐出部には８個のノズル４５しか図示されていないが、実際には多数のノズル４５が形成されている。吐出部４３Ｃ、４３Ｍ、４３Ｙ、４３Ｋは、主走査方向Ｙに並んでいる。ここでは、吐出部４３Ｃのうち一方、吐出部４３Ｍのうち一方、吐出部４３Ｙのうち一方、および、吐出部４３Ｋのうち一方は、それぞれ第１記録ヘッド４１の主走査方向Ｙの中間位置Ｌ１よりも主走査方向Ｙの一方側、すなわち、右側に配置されている。吐出部４３Ｃのうち他方、吐出部４３Ｍのうち他方、吐出部４３Ｙのうち他方、および、吐出部４３Ｋのうち他方は、それぞれ第１記録ヘッド４１の主走査方向Ｙの中間位置Ｌ１よりも主走査方向Ｙの他方側、すなわち、左側に配置されている。ここでは、例えば、２つの吐出部４３Ｃのうち右側の吐出部４３Ｃが「第１ノズル列」に対応し、左側の吐出部４３Ｃが「第２ノズル列」に対応する。また、例えば、吐出部４３Ｍのうち右側の吐出部４３Ｍが「第３ノズル列」に対応し、左側の吐出部４３Ｍが「第４ノズル列」に対応する。
【００５０】
第１記録ヘッド４１の主走査方向Ｙの中間位置Ｌ１と左側の吐出部４３Ｃの主走査方向Ｙの中間位置Ｌ１１ａとの距離Ｄ１１ａは、第１記録ヘッド４１の主走査方向Ｙの中間位置Ｌ１と右側の吐出部４３Ｃの主走査方向Ｙの中間位置Ｌ１１ｂとの距離Ｄ１１ｂと等しい。同様に、第１記録ヘッド４１の中間位置Ｌ１と左側の吐出部４３Ｍの主走査方向Ｙの中間位置Ｌ１２ａとの距離Ｄ１２ａは、第１記録ヘッド４１の中間位置Ｌ１と右側の吐出部４３Ｍの主走査方向Ｙの中間位置Ｌ１２ｂとの距離Ｄ１２ｂと等しい。第１記録ヘッド４１の中間位置Ｌ１と左側の吐出部４３Ｙの主走査方向Ｙの中間位置Ｌ１３ａとの距離Ｄ１３ａは、第１記録ヘッド４１の中間位置Ｌ１と右側の吐出部４３Ｙの主走査方向Ｙの中間位置Ｌ１３ｂとの距離Ｄ１３ｂと等しい。第１記録ヘッド４１の中間位置Ｌ１と左側の吐出部４３Ｋの主走査方向Ｙの中間位置Ｌ１４ａとの距離Ｄ１４ａは、第１記録ヘッド４１の中間位置Ｌ１と右側の吐出部４３Ｋの主走査方向Ｙの中間位置Ｌ１４ｂとの距離Ｄ１４ｂと等しい。
【００５１】
ここでは、左方向Ｙ１および右方向Ｙ２において、第１記録ヘッド４１の複数の吐出部は、共に吐出部４３Ｃ、４３Ｍ、４３Ｙ、４３Ｋ、４３Ｋ、４３Ｙ、４３Ｍ、４３Ｃの順序で並んでいる。本実施形態では、平面視において、第１記録ヘッド４１の主走査方向Ｙの中間位置Ｌ１を対象軸とすると、この対象軸を中心にして線対称となるように各吐出部４３Ｃ、４３Ｍ、４３Ｙ、４３Ｋが配置されている。ただし、各吐出部４３Ｃ、４３Ｍ、４３Ｙ、４３Ｋの配置される順序は特に限定されない。ここでは、各吐出部４３Ｃ、４３Ｍ、４３Ｙ、４３Ｋは、互いが等間隔になるように主走査方向Ｙに並んで配置されている。本実施形態では、吐出部４３Ｃ、４３Ｍ、４３Ｙ、４３Ｋはそれぞれ別体に形成されている。しかし、吐出部４３Ｃ、４３Ｍ、４３Ｙ、４３Ｋは、それらの一部または全部が一体的に形成されていてもよい。また、各吐出部では、図４に示すように、ノズル４５が１列に並んでいてもよいし、ノズル４５が２列以上に並んでいてもよい。ここでは、吐出部４３Ｃ、４３Ｍ、４３Ｙ、４３Ｋのそれぞれの複数のノズル４５のうち、主走査方向Ｙに隣合うノズル４５は、主走査方向Ｙに並んで配置されている。例えば、吐出部４３Ｃ、４３Ｍ、４３Ｙ、４３Ｋの一端に設けられた各ノズル４５は、主走査方向Ｙに並んで配置されている。ただし、吐出部４３Ｃ、４３Ｍ、４３Ｙ、４３Ｋのそれぞれの複数のノズル４５のうち主走査方向Ｙに隣合うノズル４５は、互いが副走査方向Ｘにずれた位置に配置されていてもよい。すなわち、ノズル４５は、千鳥状に配列されていてもよい。
【００５２】
第２記録ヘッド４２から吐出されるインクは、例えば、グロスインク（Ｇ）、ホワイトインク（Ｗ）、プライマーインク（Ｐ）である。グロスインクは、主として、記録紙５に吐出されたプロセスカラーインクの表面に吐出されるインクである。グロスインクは、透明なインクであり、表面に光沢のある印刷を行いたいときに使用される。ホワイトインクは、白色の印刷をする際に使用される。ホワイトインクは、例えば、記録紙５が白色以外の色であるとき、下地印刷として使用され得る。ホワイトインクが吐出された記録紙５上にプロセスカラーインクを吐出することで、記録紙５の色に影響されずに、プロセスカラーインクの本来の色を記録紙５に残すことができる。プライマーインクとは、いわゆる下地処理剤と呼ばれるインクであり、プロセスカラーインクを記録紙５に吐出する前に記録紙５に吐出するものである。グロスインク、ホワイトインク、プライマーインクは、いわゆる特色インクと呼ばれる。特色インクは、プロセスカラーインク以外のインクである。特色インクは、プロセスカラーインクに付随して使用されるインクである。ここでは、例えば、グロスインクが「第３のインク」に対応し、ホワイトインクが「第４のインク」に対応する。
【００５３】
図５は、第２記録ヘッド４２の吐出部４４Ｇ、４４Ｗ、４４Ｐを模式的に示す図であり、第２記録ヘッド４２を下から見た図である。図５に示すように、第２記録ヘッド４２は、副走査方向Ｘに配列された複数のノズルを有する複数の吐出部を備えている。第２記録ヘッド４２は、グロスインクを吐出する２つの吐出部４４Ｇと、ホワイトインクを吐出する２つの吐出部４４Ｗと、プライマーインクを吐出する２つの吐出部４４Ｐとを備えている。
【００５４】
これらの吐出部４４Ｇ、４４Ｗ、４４Ｐには、それぞれ副走査方向Ｘに並ぶ複数のノズル４６が形成されている。なお、図５には、第２記録ヘッド４２の各吐出部には８個のノズル４６しか図示されていないが、実際には多数のノズル４６が形成されている。吐出部４４Ｇ、４４Ｗ、４４Ｐは、主走査方向Ｙに並んでいる。ここでは、吐出部４４Ｇのうち一方、吐出部４４Ｗのうち一方、および、吐出部４４Ｐのうち一方は、それぞれ第２記録ヘッド４２の主走査方向Ｙの中間位置Ｌ２よりも主走査方向Ｙの一方側、すなわち、右側に配置されている。吐出部４４Ｇのうち他方、吐出部４４Ｗのうち他方、および、吐出部４４Ｐのうち他方は、それぞれ第２記録ヘッド４２の主走査方向Ｙの中間位置Ｌ２よりも主走査方向Ｙの他方側、すなわち、左側に配置されている。ここでは、例えば、２つの吐出部４４Ｇのうち右側の吐出部４４Ｇが「第５ノズル列」に対応し、左側の吐出部４４Ｇが「第６ノズル列」に対応する。また、例えば、２つの吐出部４４Ｗのうち右側の吐出部４４Ｗが「第７ノズル列」に対応し、左側の吐出部４４Ｗが「第８ノズル列」に対応する。
【００５５】
第２記録ヘッド４２の主走査方向Ｙの中間位置Ｌ２と左側の吐出部４４Ｇの主走査方向Ｙの中間位置Ｌ２１ａとの距離Ｄ２１ａは、第２記録ヘッド４２の主走査方向Ｙの中間位置Ｌ２と右側の吐出部４４Ｇの主走査方向Ｙの中間位置Ｌ２１ｂとの距離Ｄ２１ｂと等しい。同様に、第２記録ヘッド４２の中間位置Ｌ２と左側の吐出部４４Ｗの主走査方向Ｙの中間位置Ｌ２２ａとの距離Ｄ２２ａは、第２記録ヘッド４２の中間位置Ｌ２と右側の吐出部４４Ｗの主走査方向Ｙの中間位置Ｌ２２ｂとの距離Ｄ２２ｂと等しい。第２記録ヘッド４２の中間位置Ｌ２と左側の吐出部４４Ｐの主走査方向Ｙの中間位置Ｌ２３ａとの距離Ｄ２３ａは、第２記録ヘッド４２の中間位置Ｌ２と右側の吐出部４４Ｐの主走査方向Ｙの中間位置Ｌ２３ｂとの距離Ｄ２３ｂと等しい。
【００５６】
ここでは、左方向Ｙ１および右方向Ｙ２において、第２記録ヘッド４２の複数の吐出部は、共に吐出部４４Ｇ、４４Ｗ、４４Ｐ、４４Ｐ、４４Ｗ、４４Ｇの順序で並んでいる。本実施形態では、平面視において、第２記録ヘッド４２の主走査方向Ｙの中間位置Ｌ２を対象軸とすると、この対象軸を中心にして線対称となるように各吐出部４４Ｇ、４４Ｗ、４４Ｐが配置されている。ただし、各吐出部４４Ｇ、４４Ｗ、４４Ｐの配置される順序は特に限定されない。ここでは、各吐出部４４Ｇ、４４Ｗ、４４Ｐは、互いが等間隔になるように主走査方向Ｙに並んで配置されている。本実施形態では、吐出部４４Ｇ、４４Ｗ、４４Ｐは、それぞれ別体に形成されている。しかし、吐出部４４Ｇ、４４Ｗ、４４Ｐは、それらの一部または全部が一体的に形成されていてもよい。また、各吐出部では、図５に示すように、ノズル４６が１列に並んでいてもよいし、ノズル４６が２列以上に並んでいてもよい。ここでは、吐出部４４Ｇ、４４Ｗ、４４Ｐのそれぞれの複数のノズル４６のうち隣合うノズル４６は、主走査方向Ｙに並んで配置されている。例えば、吐出部４４Ｇ、４４Ｗ、４４Ｐの一端に設けられた各ノズル４６は、主走査方向Ｙに並んで配置されている。ただし、吐出部４４Ｇ、４４Ｗ、４４Ｐのそれぞれの複数のノズル４６のうち隣合うノズル４６は、互いが副走査方向Ｘにずれた位置に配置されていてもよい。すなわち、ノズル４６は、千鳥状に配列されていてもよい。
【００５７】
図２に示すように、プラテン２５の右方には、上向きに開口した容器１６と、ワイパー１７ａ、１７ｂが配置されている。容器１６は、第１記録ヘッド４１および第２記録ヘッド４２が待機場所であるホームポジションＨＰに移動したとき、第１記録ヘッド４１および第２記録ヘッド４２から吐出されるインクを受けるものである。第１記録ヘッド４１および第２記録ヘッド４２内のインクが空気に触れると、インクの粘度が増加する。インクの粘度が増加すると、第１記録ヘッド４１および第２記録ヘッド４２の吐出性能が変化してしまうおそれがある。そこで、第１記録ヘッド４１および第２記録ヘッド４２は、吐出性能の信頼性向上のために、容器１６に向かってインクを吐出する動作を適宜行う。容器１６は、そのような動作時に第１記録ヘッド４１および第２記録ヘッド４２から吐出されるインクを回収するものである。容器１６は、第１記録ヘッド４１から吐出されるプロセスカラーインクと、第２記録ヘッド４２から吐出される特色インクを回収する。ここでは、第１記録ヘッド４１から容器１６に向かって吐出されるプロセスカラーインクが第２記録ヘッド４２に付着しにくくなる。また、第２記録ヘッド４２から容器１６に向かって吐出される特色インクが第１記録ヘッド４１に付着しにくくなる。
【００５８】
ワイパー１７ａは、第１記録ヘッド４１のノズル面（吐出部が形成されている面）を清掃する。ワイパー１７ｂは、第２記録ヘッド４２のノズル面を清掃する。第１記録ヘッド４１および第２記録ヘッド４２がホームポジションＨＰに移動するとき、第１記録ヘッド４１および第２記録ヘッド４２が、それぞれワイパー１７ａおよびワイパー１７ｂによって適度に擦られ、第１記録ヘッド４１および第２記録ヘッド４２に付着している不要なインクなどが除去される。本実施形態では、ワイパー１７ｂが除去した第２記録ヘッド４２の特色インクが、第１記録ヘッド４１のノズル面に付着することを防止することができる。また、ワイパー１７ａが除去した第１記録ヘッド４１のプロセスカラーインクが、第２記録ヘッド４２のノズル面に付着することを防止することができる。ここでは、第１記録ヘッド４１および第２記録ヘッド４２が容器１６に向かってインクを吐出する動作、および、ワイパー１７ａ、１７ｂが第１記録ヘッド４１および第２記録ヘッド４２のそれぞれのノズル面を清掃する動作を「ヘッドクリーニング」という。
【００５９】
図３に示すように、プリンタ１は、第１紫外線照射装置５１と、第２紫外線照射装置５２と、第３紫外線照射装置５３と、第４紫外線照射装置５４とを備えている。紫外線照射装置５１、５２、５３、５４は、記録紙５に吐出されたインクに紫外線を照射するものである。本実施形態では、紫外線照射装置５１、５２、５３、５４は、複数の紫外線発光ダイオードによって構成されている。なお、紫外線照射装置５１、５２、５３、５４は、例えばハロゲンランプなどで構成されてもよい。
【００６０】
次に、第１記録ヘッド４１、第２記録ヘッド４２、第１紫外線照射装置５１、第２紫外線照射装置５２、第３紫外線照射装置５３および第４紫外線照射装置５４の位置関係について説明する。紫外線照射装置５１、５２、５３、５４は、第１記録ヘッド４１および第２記録ヘッド４２と共に移動するように設けられている。主走査方向Ｙの一方側から見たとき、第１紫外線照射装置５１、第２紫外線照射装置５２、第３紫外線照射装置５３および第４紫外線照射装置５４の少なくとも一部は、それぞれ第１記録ヘッド４１および第２記録ヘッド４２と重なっている。紫外線照射装置５１、５２、５３、５４は、それぞれ第１記録ヘッド４１および第２記録ヘッド４２と完全に重なっていてもよいし、その一部のみが重なっていてもよい。紫外線照射装置５１、５２、５３、５４の副走査方向Ｘのそれぞれの長さは、第１記録ヘッド４１および第２記録ヘッド４２のうち最も前方に位置する端部から最も後方に位置する端部までの長さと同じまたはそれよりも長い。例えば、紫外線照射装置５１、５２、５３、５４の副走査方向Ｘの長さは、それぞれ約６０ｍｍである。また、例えば、紫外線照射装置５１、５２、５３、５４の主走査方向Ｙの長さは、それぞれ約１０ｍｍである。ここでは、紫外線照射装置５１、５２、５３、５４の副走査方向Ｘの長さは、それぞれ第１記録ヘッド４１の副走査方向Ｘの長さ、および、第２記録ヘッド４２の副走査方向Ｘの長さと同じまたはそれよりも長い。なお、本実施形態では、紫外線照射装置５１、５２、５３、５４のそれぞれの大きさは同じであるが、互いに異なっていてもよい。
【００６１】
第１紫外線照射装置５１と、第２紫外線照射装置５２と、第３紫外線照射装置５３と、第４紫外線照射装置５４とは、主走査方向Ｙに並んで配置されている。第１紫外線照射装置５１および第３紫外線照射装置５３は、第１記録ヘッド４１および第２記録ヘッド４２の左側に配置されている。第３紫外線照射装置５３は、第１記録ヘッド４１と第１紫外線照射装置５１との間に設けられている。第１紫外線照射装置５１は、連結部材５８ａを介して第３紫外線照射装置５３の左側に取り付けられている。第３紫外線照射装置５３は、連結部材５８ｂを介して第１記録ヘッド４１の左側に取り付けられている。第２紫外線照射装置５２および第４紫外線照射装置５４は、第１記録ヘッド４１および第２記録ヘッド４２の右側に配置されている。第２紫外線照射装置５２は、第２記録ヘッド４２と第４紫外線照射装置５４との間に設けられている。第２紫外線照射装置５２は、連結部材５８ｃを介して第２記録ヘッド４２の右側に取り付けられている。第４紫外線照射装置５４は、連結部材５８ｄを介して第２紫外線照射装置５２の右側に取り付けられている。
【００６２】
第１記録ヘッド４１の主走査方向Ｙの中間位置Ｌ１と第１紫外線照射装置５１の主走査方向Ｙの中間位置Ｌ３とについての主走査方向Ｙの距離Ｄ１は、第１記録ヘッド４１の中間位置Ｌ１と第２紫外線照射装置５２の主走査方向Ｙの中間位置Ｌ４とについての主走査方向Ｙの距離Ｄ２と等しい。ここでは、第１記録ヘッド４１の複数の吐出部のうち同じ色のインクを吐出する吐出部において、左側の吐出部の主走査方向Ｙの中間位置と第１紫外線照射装置５１の中間位置Ｌ３との距離は、右側の吐出部の主走査方向Ｙの中間位置と第２紫外線照射装置５２の中間位置Ｌ４との距離と等しい。例えば、図４において、シアンインクを吐出する吐出部４３Ｃのうち左側の吐出部４３Ｃの中間位置Ｌ１１ａと第１紫外線照射装置５１の中間位置Ｌ３との距離は、右側の吐出部４３Ｃの中間位置Ｌ１１ｂと第２紫外線照射装置５２の中間位置Ｌ４との距離と等しい。ここで、「等しい」には、完全に等しい場合、および、実質的に等しい場合が含まれる。また、上述した距離同士に多少の誤差があったとしても、後述するように、印刷の斑が生じにくくすることができるものであれば、その多少の誤差は、「実質的に等しい」に含まれる。以下の説明においても、「等しい」とは、同様の意味である。
【００６３】
また、図３に示すように、第２記録ヘッド４２の主走査方向Ｙの中間位置Ｌ２と第３紫外線照射装置５３の主走査方向Ｙの中間位置Ｌ５とについての主走査方向Ｙの距離Ｄ３は、第２記録ヘッド４２の中間位置Ｌ２と第４紫外線照射装置５４の主走査方向Ｙの中間位置Ｌ６とについての主走査方向Ｙの距離Ｄ４と等しい。本実施形態では、距離Ｄ１と、距離Ｄ２と、距離Ｄ３と、距離Ｄ４とは等しい。ここでは、第２記録ヘッド４２の複数の吐出部のうち同じインクを吐出する吐出部において、左側の吐出部の主走査方向Ｙの中間位置と第３紫外線照射装置５３の中間位置Ｌ５との距離は、右側の吐出部の主走査方向Ｙの中間位置と第４紫外線照射装置５４の中間位置Ｌ６との距離と等しい。例えば、図５において、グロスインクを吐出する吐出部４４Ｇのうち左側の吐出部４４Ｇの中間位置Ｌ２１ａと第３紫外線照射装置５３の中間位置Ｌ５との距離は、右側の吐出部４４Ｇの中間位置Ｌ２１ｂと第４紫外線照射装置５４の中間位置Ｌ６との距離と等しい。なお、ここでは、各紫外線照射装置の主走査方向Ｙの中間位置Ｌ３〜Ｌ６とは、それぞれの紫外線照射装置が紫外線を発光する範囲における主走査方向Ｙの中間位置である。また、第１記録ヘッド４１および第２記録ヘッド４２の主走査方向Ｙの中間位置Ｌ１、Ｌ２とは、第１記録ヘッド４１および第２記録ヘッド４２がインクを吐出する範囲における主走査方向Ｙの中間位置である。
【００６４】
なお、本実施形態では、第１紫外線照射装置５１と、第２紫外線照射装置５２と、第３紫外線照射装置５３と、第４紫外線照射装置５４とは、別体で形成されている。しかし、第１紫外線照射装置５１と、第２紫外線照射装置５２と、第３紫外線照射装置５３と、第４紫外線照射装置５４とは、それらの一部または全部が一体的に形成されていてもよい。例えば、第１記録ヘッド４１および第２記録ヘッド４２よりも左側に設けられた紫外線照射装置、すなわち、第１紫外線照射装置５１と第３紫外線照射装置５３とは、一体的に形成されていてもよい。また、第１記録ヘッド４１および第２記録ヘッド４２よりも右側に設けられた紫外線照射装置、すなわち、第２紫外線照射装置５２と第４紫外線照射装置５４とは、一体的に形成されていてもよい。例えば、複数の発光ダイオード（ＬＥＤ）が配列されたＬＥＤアレイ型の紫外線照射装置を用いてもよい。この場合、後述する制御装置６０は、各紫外線照射装置５１、５２、５３、５４に相当する発光領域に含まれるＬＥＤを選択的に点灯または消灯させるように制御する。これらのことによって、部品点数を少なくすることができる。
【００６５】
図６は、プリンタ１の主要要素を示すブロック図である。図６に示すように、プリンタ１は、制御装置６０を備えている。制御装置６０は、マイクロコンピュータからなっており、プリンタ１の内部に設けられている。制御装置６０は、ベルト２３を走行させるサーボモータ２４と、ローラ２６のうち駆動ローラと、第１記録ヘッド４１と、第２記録ヘッド４２と、第１紫外線照射装置５１と、第２紫外線照射装置５２と、第３紫外線照射装置５３と、第４紫外線照射装置５４とを制御する。制御装置６０は、サーボモータ２４を制御することによってキャリッジ３０の移動の速度などを制御する。制御装置６０は、ローラ２６のうち駆動ローラの動作を制御することによって、記録紙５における副走査方向Ｘへの移動を制御する。制御装置６０は、第１記録ヘッド４１および第２記録ヘッド４２のインクの吐出動作を制御する。制御装置６０は、紫外線照射装置５１、５２、５３、５４のそれぞれの発光ダイオードを制御することによって、記録紙５に吐出されたインクに紫外線を照射するタイミングを制御する。制御装置６０は、第１印刷部６１と、第２印刷部６２とを備えている。
【００６６】
第１印刷部６１は、第１記録ヘッド４１および第２記録ヘッド４２を主走査方向Ｙに移動させる。第１印刷部６１は、第１記録ヘッド４１が記録紙５へインクを吐出する際、第１紫外線照射装置５１または第２紫外線照射装置５２から紫外線を照射させる。具体的には、第１印刷部６１は、第１記録ヘッド４１が左方向Ｙ１に移動しているときにインクを吐出する際に、第２紫外線照射装置５２から紫外線を照射させる。第１印刷部６１は、第１記録ヘッド４１が右方向Ｙ２に移動しているときにインクを吐出する際に、第１紫外線照射装置５１から紫外線を照射させる。
【００６７】
また、第１印刷部６１は、第２記録ヘッド４２が記録紙５へインクを吐出する際、第３紫外線照射装置５３または第４紫外線照射装置５４から紫外線を照射させる。具体的には、第１印刷部６１は、第２記録ヘッド４２が左方向Ｙ１に移動しているときにインクを吐出する際に、第４紫外線照射装置５４から紫外線を照射させる。第１印刷部６１は、第２記録ヘッド４２が右方向Ｙ２に移動しているときにインクを吐出する際に、第３紫外線照射装置５３から紫外線を照射させる。
【００６８】
第２印刷部６２は、第１記録ヘッド４１および第２記録ヘッド４２を主走査方向Ｙに移動させる。第２印刷部６２は、第１印刷部６１よりも高速で印刷を行う。ここでは、第２印刷部６２が第１記録ヘッド４１および第２記録ヘッド４２を主走査方向Ｙに移動させるときの移動速度は、第１印刷部６１が第１記録ヘッド４１および第２記録ヘッド４２を主走査方向Ｙに移動させるときの移動速度よりも速い。例えば、第１印刷部６１が第１記録ヘッド４１および第２記録ヘッド４２を移動させるときの移動速度は、５００ｍｍ／秒である。一方、第２印刷部６２が第１記録ヘッド４１および第２記録ヘッド４２を移動させるときの移動速度は、１，０００ｍｍ／秒である。以下の説明において、第１印刷部６１によって行われる印刷を低速印刷といい、第２印刷部６２によって行われる印刷を高速印刷という。第２印刷部６２は、第１記録ヘッド４１または第２記録ヘッド４２から記録紙５にインクを吐出する際、第１紫外線照射装置５１および第３紫外線照射装置５３、または、第２紫外線照射装置５２および第４紫外線照射装置５４から紫外線を照射させる。具体的には、第２印刷部６２は、第１記録ヘッド４１または第２記録ヘッド４２が左方向Ｙ１に移動しているときにインクを吐出する際に、第２紫外線照射装置５２および第４紫外線照射装置５４から紫外線を照射させる。また、第２印刷部６２は、第１記録ヘッド４１または第２記録ヘッド４２が右方向Ｙ２に移動しているときにインクを吐出する際に、第１紫外線照射装置５１および第３紫外線照射装置５３から紫外線を照射させる。
【００６９】
次に、本実施形態に係るプリンタ１の印刷動作について説明する。本実施形態では、制御装置６０の第１印刷部６１による低速印刷と、第２印刷部６２による高速印刷との２つの印刷モードがある。ただし、第１記録ヘッド４１および第２記録ヘッド４２の移動速度が異なる３つ以上の印刷モードがあってもよい。例えば、利用者が操作パネル１２を操作することで低速印刷を行うか高速印刷を行うかを選択する。
【００７０】
低速印刷では、第１印刷部６１によって印刷が行われる。例えば、制御装置６０は、サーボモータ２４を制御することによって、キャリッジ３０をガイドレール２０に沿って移動させる。このとき、第１記録ヘッド４１、第２記録ヘッド４２、紫外線照射装置５１、５２、５３、５４は、ガイドレール２０に沿って主走査方向Ｙへ移動する。また、制御装置６０は、第１記録ヘッド４１および第２記録ヘッド４２が行き方向Ｙ１（言い換えると、往路ともいう。）、または、帰り方向Ｙ２（言い換えると、復路ともいう。）への一回の走査を行った、あるいは、一往復または複数回往復の走査を行った後に、駆動ローラ２６を駆動させることで、記録紙５を副走査方向Ｘへ搬送させる。記録紙５にプロセスカラーインクによる印刷を行う場合、第１印刷部６１は、第１記録ヘッド４１が左方向Ｙ１および右方向Ｙ２へ移動中、第１記録ヘッド４１から記録紙５へ向かってインクを吐出させる。左方向Ｙ１への移動中では、第１印刷部６１は、第１記録ヘッド４１の複数の吐出部のうち右側に設けられた吐出部４３Ｃ、４３Ｍ、４３Ｙ、４３Ｋのノズル４５からインクを吐出させる。その後、制御装置６０の制御によって、第１記録ヘッド４１、第２記録ヘッド４２、紫外線照射装置５１、５２、５３、５４は、共に左方向Ｙ１へ更に移動する。このとき、第１印刷部６１は、第２紫外線照射装置５２を発光させることで、紫外線を記録紙５に吐出されたインクに照射させる。なお、このとき、第１紫外線照射装置５１、第３紫外線照射装置５３および第４紫外線照射装置５４は発光していない。
【００７１】
第１記録ヘッド４１の右方向Ｙ２への移動中では、第１印刷部６１は、第１記録ヘッド４１の複数の吐出部のうち左側に設けられた吐出部４３Ｃ、４３Ｍ、４３Ｙ、４３Ｋのノズル４５からインクを吐出させる。その後、制御装置６０の制御によって、第１記録ヘッド４１、第２記録ヘッド４２、紫外線照射装置５１、５２、５３、５４は、右方向Ｙ２へ更に移動する。このとき、第１印刷部６１は、第１紫外線照射装置５１を発光させることで、紫外線を記録紙５に吐出されたインクに照射させる。なお、このとき、第２紫外線照射装置５２、第３紫外線照射装置５３および第４紫外線照射装置５４は発光していない。
【００７２】
低速印刷において記録紙５に特色インクによる印刷を行う場合、第１印刷部６１は、第２記録ヘッド４２が左方向Ｙ１および右方向Ｙ２へ移動中、第２記録ヘッド４２から記録紙５へ向かってインクを吐出させる。左方向Ｙ１への移動中では、第１印刷部６１は、第２記録ヘッド４２の複数の吐出部のうち右側に設けられた吐出部４４Ｇ、４４Ｗ、４４Ｐの何れかのノズル４６からインクを吐出させる。その後、制御装置６０によって、第１記録ヘッド４１、第２記録ヘッド４２、紫外線照射装置５１、５２、５３、５４は、共に左方向Ｙ１へ更に移動する。このとき、第１印刷部６１は、第４紫外線照射装置５４を発光させることで、紫外線を記録紙５に吐出されたインクに照射させる。なお、このとき、第１紫外線照射装置５１、第２紫外線照射装置５２および第３紫外線照射装置５３は発光していない。
【００７３】
第２記録ヘッド４２の右方向Ｙ２への移動中では、第１印刷部６１は、第２記録ヘッド４２の複数の吐出部のうち左側に設けられた吐出部４４Ｇ、４４Ｗ、４４Ｐの何れかのノズル４６からインクを吐出させる。その後、制御装置６０によって、第１記録ヘッド４１、第２記録ヘッド４２、紫外線照射装置５１、５２、５３、５４は、右方向Ｙ２へ更に移動する。このとき、第１印刷部６１は、第３紫外線照射装置５３を発光させることで、紫外線を記録紙５に吐出されたインクに照射させる。なお、このとき、第１紫外線照射装置５１、第２紫外線照射装置５２および第４紫外線照射装置５４は発光していない。
【００７４】
高速印刷では、第２印刷部６２によって印刷が行われる。高速印刷において、記録紙５にプロセスカラーインクによる印刷を行う場合、および、記録紙５に特色インクによる印刷を行う場合において、記録紙５にインクを吐出するまでの動作は、低速印刷のときと同様のため、この動作の詳しい説明は省略する。プロセスカラーインクの印刷および特色インクの印刷の左方向Ｙ１の印刷では、記録紙５へインクが吐出された後、第２印刷部６２は、第２紫外線照射装置５２および第４紫外線照射装置５４を発光させることで、紫外線を記録紙５に吐出されたインクに照射させる。このとき、第１紫外線照射装置５１および第３紫外線照射装置５３は発光していない。一方、右方向Ｙ２の印刷では、記録紙５へインクが吐出された後、第２印刷部６２は、第１紫外線照射装置５１および第３紫外線照射装置５３を発光させることで、紫外線を記録紙５に吐出されたインクに照射させる。このとき、第２紫外線照射装置５２および第４紫外線照射装置５４は発光していない。
【００７５】
以上、本実施形態では、図３に示すように、第１記録ヘッド４１の主走査方向Ｙの中間位置Ｌ１と第１紫外線照射装置５１の主走査方向Ｙの中間位置Ｌ３とについての主走査方向Ｙの距離Ｄ１は、第１記録ヘッド４１の主走査方向Ｙの中間位置Ｌ１と第２紫外線照射装置５２の主走査方向Ｙの中間位置Ｌ４とについての主走査方向Ｙの距離Ｄ２と等しい。例えば、低速印刷では、第１記録ヘッド４１が左方向Ｙ１に移動しているときに吐出したインクは、第２紫外線照射装置５２による紫外線が照射されることで硬化する。また、第１記録ヘッド４１が右方向Ｙ２に移動しているときに吐出したインクは、第１紫外線照射装置５１による紫外線が照射されることで硬化する。そのため、第１記録ヘッド４１が左方向Ｙ１および右方向Ｙ２に移動しているときに吐出したインクが記録紙５に着弾後、紫外線によって硬化を開始するまでのタイミング（時間）はそれぞれ等しい。
【００７６】
また、第２記録ヘッド４２の主走査方向Ｙの中間位置Ｌ２と第３紫外線照射装置５３の主走査方向Ｙの中間位置Ｌ５とについての主走査方向Ｙの距離Ｄ３は、第２記録ヘッド４２の主走査方向Ｙの中間位置Ｌ２と第４紫外線照射装置５４の主走査方向Ｙの中間位置Ｌ６とについての主走査方向Ｙの距離Ｄ４と等しい。例えば、低速印刷では、第２記録ヘッド４２が左方向Ｙ１に移動しているときに吐出したインクは、第４紫外線照射装置５４による紫外線が照射されることで硬化する。また、第２記録ヘッド４２が右方向Ｙ２に移動しているときに吐出したインクは、第３紫外線照射装置５３による紫外線が照射されることで硬化する。そのため、第２記録ヘッド４２が左方向Ｙ１および右方向Ｙ２に移動しているときに吐出したインクが記録紙５に着弾後、紫外線によって硬化を開始するまでのタイミング（時間）はそれぞれ等しい。
【００７７】
図７は、記録紙５に吐出されたインクＡの時間経過に伴う変化を示す図である。図７に示すように、第１記録ヘッド４１および第２記録ヘッド４２から記録紙５に吐出されたインクＡは、紫外線が照射されていない状態において、時間が経過するに伴いドット径が大きくなる。換言すると、記録紙５に吐出されたインクＡが記録紙５に接する面積は、時間が経過するに伴って大きくなる。記録紙５に吐出されたインクＡは、時間が経過するに従って横に広がる。例えば、時間ｔ１におけるインクＡのドット径は、時間ｔ２〜時間ｔ４におけるインクＡのドット径よりも小さい。前述のように、第１記録ヘッド４１および第２記録ヘッド４２による印刷において、左方向Ｙ１および右方向Ｙ２に移動しているときに吐出したインクが記録紙５に着弾後、紫外線によって硬化を開始するまでのタイミング（時間）はそれぞれ等しい。そのため、本実施形態では、左方向Ｙ１と右方向Ｙ２における第１記録ヘッド４１から吐出されたインクのそれぞれのドット径は等しくなる。同様に、左方向Ｙ１と右方向Ｙ２における第２記録ヘッド４２から吐出されたインクのそれぞれのドット径は等しくなる。したがって、第１記録ヘッド４１および第２記録ヘッド４２から記録紙５にインクが吐出されて出来た印刷物の印刷の斑が生じにくくすることができる。
【００７８】
例えば、第２紫外線照射装置５２が第４紫外線照射装置５４よりも右側に設けられているとする。この場合、第１記録ヘッド４１の主走査方向Ｙの中間位置Ｌ１と第２紫外線照射装置５２の主走査方向Ｙの中間位置Ｌ４とについての主走査方向Ｙの距離Ｄ２は、第２記録ヘッド４２の主走査方向Ｙの中間位置Ｌ２と第４紫外線照射装置５４の主走査方向Ｙの中間位置Ｌ６とについての主走査方向Ｙの距離Ｄ４よりも長い。また、例えば、第３紫外線照射装置５３が第１紫外線照射装置５１よりも主走査方向Ｙの左側に設けられているとする。この場合、第２記録ヘッド４２の主走査方向Ｙの中間位置Ｌ２と第３紫外線照射装置５３の主走査方向Ｙの中間位置Ｌ５とについての主走査方向Ｙの距離Ｄ３は、第１記録ヘッド４１の主走査方向Ｙの中間位置Ｌ１と第１紫外線照射装置５１の主走査方向Ｙの中間位置Ｌ３とについての主走査方向Ｙの距離Ｄ１よりも長い。そのため、これらの場合、第１記録ヘッド４１、第２記録ヘッド４２、第１紫外線照射装置５１、第２紫外線照射装置５２、第３紫外線照射装置５３および第４紫外線照射装置５４の全体における主走査方向Ｙの長さが長くなる。
【００７９】
しかし、本実施形態では、図３に示すように、第２紫外線照射装置５２は、第２記録ヘッド４２と隣接するように、第２記録ヘッド４２と第４紫外線照射装置５４との間に設けられている。第３紫外線照射装置５３は、第１記録ヘッド４１と隣接するように、第１記録ヘッド４１と第１紫外線照射装置５１との間に設けられている。ここでは、第１記録ヘッド４１の主走査方向Ｙの中間位置Ｌ１と第２紫外線照射装置５２の主走査方向Ｙの中間位置Ｌ４とについての主走査方向Ｙの距離Ｄ２は、第２記録ヘッド４２の主走査方向Ｙの中間位置Ｌ２と第４紫外線照射装置５４の主走査方向Ｙの中間位置Ｌ６とについての主走査方向Ｙの距離Ｄ４と等しい。また、第２記録ヘッド４２の主走査方向Ｙの中間位置Ｌ２と第３紫外線照射装置５３の主走査方向Ｙの中間位置Ｌ５とについての主走査方向Ｙの距離Ｄ３は、第１記録ヘッド４１の主走査方向Ｙの中間位置Ｌ１と第１紫外線照射装置５１の主走査方向Ｙの中間位置Ｌ３とについての主走査方向Ｙの距離Ｄ１と等しい。よって、第１記録ヘッド４１、第２記録ヘッド４２、第１紫外線照射装置５１、第２紫外線照射装置５２、第３紫外線照射装置５３および第４紫外線照射装置５４の全体における主走査方向Ｙの長さを短くすることができる。そのため、インクジェットプリンタを小型化することができる。
【００８０】
本実施形態では、第２印刷部６２が第１記録ヘッド４１および第２記録ヘッド４２を主走査方向Ｙに移動させるときの移動速度は、第１印刷部６１が第１記録ヘッド４１および第２記録ヘッド４２を主走査方向Ｙに移動させるときの移動速度よりも速い。第１印刷部６１によって低速印刷が行われ、第２印刷部６２によって高速印刷が行われる。低速印刷では、紫外線照射装置５１、５２、５３、５４が、インクが吐出された記録紙５上を通過する時間は、高速印刷の場合に比べて遅い。そのため、低速印刷では、インクに照射される紫外線の単位時間当たりの量が高速印刷の場合に比べて多い。よって、低速印刷では、例えば、左方向Ｙ１における第１記録ヘッド４１による印刷の場合、第１印刷部６１は、第２紫外線照射装置５２から紫外線を記録紙５に吐出されたインクに照射させる。右方向Ｙ２における第１記録ヘッド４１による印刷の場合、第１印刷部６１は、第１紫外線照射装置５１から紫外線を記録紙５に吐出されたインクに照射させる。
【００８１】
一方、高速印刷では、紫外線照射装置５１、５２、５３、５４が、インクが吐出された記録紙５上を通過する時間は、低速印刷の場合に比べて早い。そのため、高速印刷では、インクに照射される紫外線の単位時間当たりの量が低速印刷の場合に比べて少ない。そこで、高速印刷では、紫外線を照射する紫外線照射装置の照度を強くすることも考えられる。しかし、この場合、照度を変化させるための制御が新たに必要となり、コストアップの要因となると共に、印刷制御が複雑になる。また、照度を強くすることで発生した熱によって、第１記録ヘッド４１のノズル４５および第２記録ヘッド４２のノズル４６のインクが硬化するおそれがある。このことに起因して、ノズル４５、４６が詰まってしまうおそれがある。また、照度を強くすることで発生した熱を放熱させることは容易ではない。しかし、本実施形態の高速印刷では、例えば、左方向Ｙ１における第１記録ヘッド４１による印刷の場合、第２印刷部６２は、第２紫外線照射装置５２および第４紫外線照射装置５４を発光させることで、紫外線を記録紙５に吐出されたインクに照射させる。右方向Ｙ２における第１記録ヘッド４１による印刷の場合、第２印刷部６２は、第１紫外線照射装置５１および第３紫外線照射装置５３を発光させることで、紫外線を記録紙５に吐出されたインクに照射させる。このことによって、高速印刷において、記録紙５に吐出されたインクに照射される紫外線の光量を多くしている。よって、低速印刷および高速印刷において、記録紙５に吐出されたインクに紫外線を十分に照射させることができる。したがって、インクを十分に硬化させることができる。このように、第１記録ヘッド４１および第２記録ヘッド４２の移動速度に応じて、記録紙５に吐出されたインクに照射する紫外線の光量を調節することができる。
【００８２】
なお、高速印刷では、左方向Ｙ１の移動中に第１記録ヘッド４１または第２記録ヘッド４２から記録紙５に吐出されたインクが紫外線に照射されて硬化するまでの時間と、右方向Ｙ２の移動中に第１記録ヘッド４１または第２記録ヘッド４２から記録紙５に吐出されたインクが紫外線に照射されて硬化するまでの時間とは、若干異なる。そのため、左方向Ｙ１の印刷におけるインクのドット径と、右方向Ｙ２の印刷におけるインクのドット径とが若干異なる。しかし、高速印刷では、第１記録ヘッド４１および第２記録ヘッド４２の主走査方向Ｙへの移動速度は速い。そのため、左方向Ｙ１と右方向Ｙ２とにおいて、インクが硬化するまでの時間差は小さい。よって、高速印刷において、印刷の斑はそれ程気にならない。また、高速印刷では、利用者は画質よりも印刷時間を優先することが多い。そのため、これらのインクのドット径の違いは、画質よりも印刷時間を優先するという目的に応じた最適化を行った結果として許容範囲といえる。
【００８３】
例えば、第２記録ヘッド４２が第１記録ヘッド４１に対して副走査方向Ｘにずれた位置に設けられている場合、第１記録ヘッド４１および第２記録ヘッド４２の全体における副走査方向Ｘの長さが長くなる。しかし、本実施形態では、図３に示すように、第１記録ヘッド４１と第２記録ヘッド４２とは、主走査方向Ｙに並んだ位置に設けられている。そのため、第１記録ヘッド４１および第２記録ヘッド４２の全体における副走査方向Ｘの長さを短くすることができる。
【００８４】
本実施形態では、図４に示すように、第１記録ヘッド４１の吐出部４３Ｃ、４３Ｍ、４３Ｙ、４３Ｋは、第１記録ヘッド４１の主走査方向Ｙの中間位置Ｌ１を対称軸としたとき、この対称軸を中心にして線対称となるように主走査方向Ｙにそれぞれ並んで配置されている。例えば、第１記録ヘッド４１の主走査方向Ｙの中間位置Ｌ１と左側の吐出部４３Ｃとについての主走査方向Ｙの距離Ｄ１１ａは、第１記録ヘッド４１の主走査方向Ｙの中間位置Ｌ１と右側の吐出部４３Ｃとについての主走査方向Ｙの距離Ｄ１１ｂと等しい。また、第１記録ヘッド４１の主走査方向Ｙの中間位置Ｌ１と左側の吐出部４３Ｍとについての主走査方向Ｙの距離Ｄ１２ａは、第１記録ヘッド４１の主走査方向Ｙの中間位置Ｌ１と右側の吐出部４３Ｍとについての主走査方向Ｙの距離Ｄ１２ｂと等しい。このことによって、例えば、左側の吐出部４３Ｃと第１紫外線照射装置５１との距離は、右側の吐出部４３Ｃと第２紫外線照射装置５２との距離と等しい。そのため、左側の吐出部４３Ｃから吐出されたインクと、右側の吐出部４３Ｃから吐出されたインクとが紫外線によって硬化される時間はそれぞれ等しい。よって、２つの吐出部４３Ｃから吐出されたインクのドット径は等しくなる。同様に、２つの吐出部４３Ｍから吐出されたインクのドット径は等しい。２つの吐出部４３Ｙから吐出されたインクのドット径は等しい。２つの吐出部４３Ｋから吐出されたインクのドット径は等しい。したがって、第１記録ヘッド４１から記録紙５にインクが吐出されて出来た印刷物に対する印刷の斑が更に生じにくくすることができる。
【００８５】
また、本実施形態では、図５に示すように、第２記録ヘッド４２の吐出部４４Ｇ、４４Ｗ、４４Ｐは、第２記録ヘッド４２の主走査方向Ｙの中間位置Ｌ２を対称軸にしたとき、この対称軸を中心にして線対称となるように主走査方向Ｙにそれぞれ並んで配置されている。例えば、第２記録ヘッド４２の主走査方向Ｙの中間位置Ｌ２と左側の吐出部４４Ｇとについての主走査方向Ｙの距離Ｄ２１ａは、第２記録ヘッド４２の主走査方向Ｙの中間位置Ｌ２と右側の吐出部４４Ｇとについての主走査方向Ｙの距離Ｄ２１ｂと等しい。また、第２記録ヘッド４２の主走査方向Ｙの中間位置Ｌ２と左側の吐出部４４Ｗとについての主走査方向Ｙの距離Ｄ２２ａは、第２記録ヘッド４２の主走査方向Ｙの中間位置Ｌ２と右側の吐出部４４Ｗとについての主走査方向Ｙの距離Ｄ２２ｂと等しい。このことによって、例えば、左側の吐出部４４Ｇと第３紫外線照射装置５１との距離は、右側の吐出部４４Ｇと第４紫外線照射装置５４との距離と等しい。そのため、左側の吐出部４４Ｇから吐出されたインクと、右側の吐出部４４Ｇから吐出されたインクとが紫外線によって硬化される時間はそれぞれ等しい。よって、２つの吐出部４４Ｇから吐出されたインクのドット径は等しくなる。同様に、２つの吐出部４４Ｗから吐出されたインクのドット径は等しい。２つの吐出部４４Ｐから吐出されたインクのドット径は等しい。したがって、第２記録ヘッド４２から記録紙５にインクが吐出されて出来た印刷物に対する印刷の斑が更に生じにくくすることができる。
【００８６】
本実施形態では、例えば、第１印刷部６１は、第１記録ヘッド４１が左方向Ｙ１に移動しているときに、右側の吐出部４３Ｃからインクを吐出させ、かつ、第２紫外線照射装置５２から紫外線を照射させている。また、第１印刷部６１は、第１記録ヘッド４１が右方向Ｙ２に移動しているときに、左側の吐出部４３Ｃからインクを吐出させ、かつ、第１紫外線照射装置５１から紫外線を照射させている。このことによって、左方向Ｙ１の印刷において、第１記録ヘッド４１の右側の吐出部４３Ｃから吐出されたインクのドット径と、右方向Ｙ２の印刷において、第１記録ヘッド４１の左側の吐出部４３Ｃから吐出されたインクのドット径とは、等しい。したがって、第１記録ヘッド４１から記録紙５にインクが吐出されて出来た印刷物に対する印刷の斑が更に生じにくくすることができる。
【００８７】
本実施形態では、第１記録ヘッド４１は、プロセスカラーインクを吐出する。第２記録ヘッド４２は、特色インクを吐出する。図３に示すように、第１記録ヘッド４１と第２記録ヘッド４２とは別体に形成されている。プロセスカラーインクは、特色インクと比べて使用頻度が高い。仮に、第１記録ヘッド４１と第２記録ヘッド４２とが一体的に形成されている場合、ヘッドクリーニングをする際、第１記録ヘッド４１および第２記録ヘッド４２を共にクリーニングする。そのため、本来ならヘッドクリーニングをする必要がない記録ヘッドもクリーニングをしてしまうことがあり得る。しかし、本実施形態では、第１記録ヘッド４１と第２記録ヘッド４２とが別体に形成されているため、第１記録ヘッド４１と第２記録ヘッド４２とを別々にクリーニングすることができる。よって、無駄なヘッドクリーニングを削減することができると共に、無駄なインクの消費を防止することができる。
【００８８】
本実施形態では、低速印刷および高速印刷の左方向Ｙ１および右方向Ｙ２の印刷において、インクが記録紙５に吐出される前に記録紙５上を通過する紫外線照射装置は、発光していない。左方向Ｙ１と右方向Ｙ２との印刷において、発光する紫外線照射装置を切り替えていた。このことによって、紫外線照射装置５１、５２、５３、５４を発光させるために消費する電力を削減することができる。ここでは、各紫外線照射装置５１、５２、５３、５４は、発光ダイオードによって構成されているため、発光する紫外線照射装置を切り替えることが容易である。
【００８９】
以上、第１実施形態に係るプリンタ１について説明した。しかし、本発明に係るプリンタは、第１実施形態に係るプリンタ１に限らず、他の種々の形態で実施することが可能である。次に、第２実施形態について簡単に説明する。なお、以下の説明では、既に説明した構成と同様の構成は同じ符号を付し、その説明は省略することとする。
【００９０】
＜第２実施形態＞
次に、第２実施形態に係るプリンタについて説明する。図８は、第２実施形態に係るプリンタ１Ａの第１記録ヘッド４１、第２記録ヘッド４２、第１紫外線照射装置５１、第２紫外線照射装置５２、第３紫外線照射装置５３、および、第４紫外線照射装置５４を模式的に示す図である。本実施形態では、図８に示すように、第１実施形態と同様に、第１紫外線照射装置５１と、第２紫外線照射装置５２と、第３紫外線照射装置５３と、第４紫外線照射装置５４とは、主走査方向Ｙに並んで配置されている。
【００９１】
第１紫外線照射装置５１および第３紫外線照射装置５３は、第１記録ヘッド４１および第２記録ヘッド４２における主走査方向Ｙの左方向Ｙ１側（ここでは、左側）に配置されている。ここでは、第３紫外線照射装置５３は、第１記録ヘッド４１の左側に隣接し、第１紫外線照射装置５１は、第３紫外線照射装置５３の左側（第１記録ヘッド４１と反対側）に隣接している。第２紫外線照射装置５２および第４紫外線照射装置５４は、第１記録ヘッド４１および第２記録ヘッド４２における主走査方向Ｙの右方向Ｙ２側（ここでは、右側）に配置されている。ここでは、第２紫外線照射装置５２は、第２記録ヘッド４２の右側に隣接し、第４紫外線照射装置５４は、第２紫外線照射装置５２の右側（第２記録ヘッド４２の反対側）に隣接している。
【００９２】
第１記録ヘッド４１の主走査方向Ｙの中間位置Ｌ１と第１紫外線照射装置５１の主走査方向Ｙの中間位置Ｌ３とについての主走査方向Ｙの距離Ｄ１は、第１記録ヘッド４１の中間位置Ｌ１と第２紫外線照射装置５２の主走査方向Ｙの中間位置Ｌ４とについての主走査方向Ｙの距離Ｄ２と等しい。
【００９３】
第２記録ヘッド４２の主走査方向Ｙの中間位置Ｌ２と第３紫外線照射装置５３の主走査方向Ｙの中間位置Ｌ５とについての主走査方向Ｙの距離Ｄ３は、第２記録ヘッド４２の中間位置Ｌ２と第２紫外線照射装置５２の中間位置Ｌ４とについての主走査方向Ｙの距離Ｄ９と等しい。また、第２記録ヘッド４２の中間位置Ｌ２と第１紫外線照射装置５１の中間位置Ｌ３とについての主走査方向Ｙの距離Ｄ１０は、第２記録ヘッド４２の中間位置Ｌ２と第４紫外線照射装置５４の主走査方向Ｙの中間位置Ｌ６とについての主走査方向Ｙの距離Ｄ１１と等しい。
【００９４】
本実施形態では、第１紫外線照射装置５１および第３紫外線照射装置５３と、第２紫外線照射装置５２および第４紫外線照射装置５４とは、第２記録ヘッド４２の中間位置Ｌ２を中心にして対称となるように配置されている。しかし、第１紫外線照射装置５１および第３紫外線照射装置５３と、第２紫外線照射装置５２および第４紫外線照射装置５４とは、第１記録ヘッド４１の中間位置Ｌ１を中心にして対称となるように配置されていない。
【００９５】
なお、第１紫外線照射装置５１および第３紫外線照射装置５３は、第１記録ヘッド４１および第２記録ヘッド４２における主走査方向Ｙの右方向Ｙ２側に配置されてもよい。この場合、第２紫外線照射装置５２および第４紫外線照射装置５４は、第１記録ヘッド４１および第２記録ヘッド４２における主走査方向Ｙの左方向Ｙ１側に配置されているとよい。
【００９６】
本実施形態では、制御装置６０は、低速印刷を行う第１印刷部６１と、高速印刷を行う第２印刷部６２とを備えている。第１印刷部６１は、第１記録ヘッド４１が左方向Ｙ１に移動しているときにインクを吐出する際に、第２紫外線照射装置５２から紫外線を照射させる。第１印刷部６１は、第１記録ヘッド４１が右方向Ｙ２に移動しているときにインクを吐出する際に、第１紫外線照射装置５１から紫外線を照射させる。
【００９７】
また、第１印刷部６１は、第２記録ヘッド４２が記録紙５へインクを吐出する際、第３紫外線照射装置５３または第２紫外線照射装置５２から紫外線を照射させる。具体的には、第１印刷部６１は、第２記録ヘッド４２が左方向Ｙ１に移動しているときにインクを吐出する際に、第２紫外線照射装置５２から紫外線を照射させる。第１印刷部６１は、第２記録ヘッド４２が右方向Ｙ２に移動しているときにインクを吐出する際に、第３紫外線照射装置５３から紫外線を照射させる。このように、本実施形態では、低速印刷を行う第１印刷部６１では、第１記録ヘッド４１および第２記録ヘッド４２の左方向Ｙ１への印刷の際には、第２紫外線照射装置５２から紫外線が照射されるが、第４紫外線照射装置５４から紫外線は照射されない。
【００９８】
第２印刷部６２は、第１記録ヘッド４１または第２記録ヘッド４２が左方向Ｙ１に移動しているときにインクを吐出する際に、第２紫外線照射装置５２および第４紫外線照射装置５４から紫外線を照射させる。また、第２印刷部６２は、第１記録ヘッド４１または第２記録ヘッド４２が右方向Ｙ２に移動しているときにインクを吐出する際に、第１紫外線照射装置５１および第３紫外線照射装置５３から紫外線を照射させる。本実施形態では、第４紫外線照射装置５４は、高速印刷でのみ使用される。
【００９９】
本実施形態であっても、第１実施形態と同様の効果が得られる。ここでは、高速印刷における第２記録ヘッド４２の左方向Ｙ１と右方向Ｙ２との印刷では、インクが記録紙５に着弾後、紫外線によって硬化を開始するまでのタイミングはそれぞれ等しい。しかし、高速印刷における第１記録ヘッド４１の左方向Ｙ１と右方向Ｙ２との印刷では、インクが記録紙５に着弾後、紫外線によって硬化を開始するまでのタイミングはそれぞれ若干異なる。そのため、本実施形態では、第２記録ヘッド４２では、紫外線による硬化の影響が受けやすいインクを吐出し、第１記録ヘッド４１では、第２記録ヘッド４２が吐出するインクよりも、紫外線による硬化の影響が受けにくいインクを吐出する際に、特に有用である。
【０１００】
＜変形例＞
次に、本発明に係るプリンタの変形例について説明する。上記各実施形態では、図４に示すように、第１記録ヘッド４１の吐出部４３Ｃ、４３Ｍ、４３Ｙ、４３Ｋは、第１記録ヘッド４１の主走査方向Ｙの中間位置Ｌ１を対称軸としたとき、その対称軸を中心にして、色毎に一対（ここでは、２つ）の吐出部が線対称となるように主走査方向Ｙにそれぞれ並んで配置されていた。しかし、吐出部４３Ｃ、４３Ｍ、４３Ｙ、４３Ｋは、第１記録ヘッド４１の中間位置Ｌ１を対称軸としたとき、その対称軸を中心にして、色毎に一対の吐出部が線対称となるように主走査方向Ｙにそれぞれ並んで配置されていなくてもよい。例えば、第１記録ヘッド４１は、各吐出部４３Ｃ、４３Ｍ、４３Ｙ、４３Ｋを１つずつ備えている。そして、各吐出部は、左側から順に吐出部４３Ｃ、４３Ｍ、４３Ｙ、４３Ｋとなるように主走査方向Ｙに並んで配置されていてもよい。このことによって、各吐出部４３Ｃ、４３Ｍ、４３Ｙ、４３Ｋにおいて、第１紫外線照射装置５１までの距離と、第２紫外線照射装置５２までの距離とはそれぞれ若干異なる。しかし、これらの距離は若干異なるのみなので、画素数、印刷速度および印刷精度などの印刷条件によっては、印刷の斑はそれ程気にならない。よって、これらの距離の若干の異なりは許容範囲であるといえる。また、第１記録ヘッド４１は、各吐出部４３Ｃ、４３Ｍ、４３Ｙ、４３Ｋをそれぞれ３つずつ以上備えていてもよい。
【０１０１】
上記各実施形態では、図５に示すように、第２記録ヘッド４２の吐出部４４Ｇ、４４Ｗ、４４Ｐは、第２記録ヘッド４２の主走査方向Ｙの中間位置Ｌ２を対称軸としたとき、その対称軸を中心にして、色毎に一対（ここでは、２つ）の吐出部が線対称となるように主走査方向Ｙにそれぞれ並んで配置されていた。しかし、吐出部４４Ｇ、４４Ｗ、４４Ｐは、第２記録ヘッド４２の中間位置Ｌ２を対称軸としたとき、その対称軸を中心にして、色毎に一対の吐出部が線対称となるように主走査方向Ｙにそれぞれ並んで配置されていなくてもよい。例えば、第２記録ヘッド４２は、各吐出部４４Ｇ、４４Ｗ、４４Ｐを１つずつ備えている。そして、各吐出部は、左側から順に吐出部４４Ｇ、４４Ｗ、４４Ｐとなるように主走査方向Ｙに並んで配置されていてもよい。このことによって、各吐出部４４Ｇ、４４Ｗ、４４Ｐにおいて、第１紫外線照射装置５１までの距離と、第２紫外線照射装置５２までの距離とはそれぞれ若干異なる。しかし、これらの距離は若干異なるのみなので、画素数、印刷速度および印刷精度などの印刷条件によっては、印刷の斑はそれ程気にならない。よって、これらの距離の若干の異なりは許容範囲であるといえる。また、第２記録ヘッド４２は、各吐出部４４Ｇ、４４Ｗ、４４Ｐをそれぞれ３つずつ以上備えていてもよい。
【０１０２】
低速印刷と高速印刷とにおいて、制御装置６０は、同一の紫外線照射装置を発光させることで、紫外線をインクに照射させてもよい。例えば、制御装置６０は、低速印刷および高速印刷において、第１記録ヘッド４１または第２記録ヘッド４２が左方向Ｙ１に移動しているときにインクを吐出する際に、第２紫外線照射装置５２から紫外線を照射させ、第４紫外線照射装置５４から紫外線を照射させなくてもよい。また、制御装置６０は、低速印刷および高速印刷において、第１記録ヘッド４１または第２記録ヘッド４２が右方向Ｙ２に移動しているときにインクを吐出する際に、第３紫外線照射装置５３から紫外線を照射させ、第１紫外線照射装置５１から紫外線を照射させなくてもよい。これらの場合、第１紫外線照射装置５１および第４紫外線照射装置５４を省略してもよい。
【０１０３】
上記各実施形態では、第１印刷部６１と第２印刷部６２とは、第１記録ヘッド４１が左方向Ｙ１に移動しているときに、第１記録ヘッド４１の吐出部４３Ｃ、４３Ｍ、４３Ｙ、４３Ｋのうち右側の吐出部４３Ｃ、４３Ｍ、４３Ｙ、４３Ｋからインクを吐出させていた。そして、第１印刷部６１と第２印刷部６２とは、第１記録ヘッド４１が右方向Ｙ２に移動しているときに、第１記録ヘッド４１の吐出部４３Ｃ、４３Ｍ、４３Ｙ、４３Ｋのうち左側の吐出部４３Ｃ、４３Ｍ、４３Ｙ、４３Ｋからインクを吐出させていた。しかし、左方向Ｙ１の印刷と右方向Ｙ２の印刷とで、インクを吐出する吐出部４３Ｃ、４３Ｍ、４３Ｙ、４３Ｋを逆にしてもよい。例えば、第１印刷部６１と第２印刷部６２とは、第１記録ヘッド４１が左方向Ｙ１に移動しているときに、左側の吐出部４３Ｃ、４３Ｍ、４３Ｙ、４３Ｋからインクを吐出させてもよい。第１印刷部６１と第２印刷部６２とは、第１記録ヘッド４１が右方向Ｙ２に移動しているときに、右側の吐出部４３Ｃ、４３Ｍ、４３Ｙ、４３Ｋからインクを吐出させてもよい。また、左方向Ｙ１の印刷および右方向Ｙ２の印刷において、左右両側の吐出部４３Ｃ、４３Ｍ、４３Ｙ、４３Ｋからインクを吐出させてもよい。また、第１印刷部６１と第２印刷部６２とは、左方向Ｙ１の印刷および右方向Ｙ２の印刷において、左側および右側のどちらの吐出部４３Ｃ、４３Ｍ、４３Ｙ、４３Ｋからインクを吐出させるかを印刷毎に選択できるように制御してもよい。このことによって、印刷毎に印刷の質を変えることができる。なお、上述したことは、第２記録ヘッド４２の印刷についても同様のことがいえる。
【０１０４】
上記各実施形態では、低速印刷および高速印刷の左方向Ｙ１および右方向Ｙ２の印刷において、インクが記録紙５に吐出される前に記録紙５上を通過する紫外線照射装置は、発光していなかった。左方向Ｙ１と右方向Ｙ２との印刷において、発光する紫外線照射装置を切り替えていた。例えば、低速印刷における第１記録ヘッド４１の左方向Ｙ１の印刷において、第１紫外線照射装置５１は発光していなかった。一方、右方向Ｙ２の印刷において、第２紫外線照射装置５２は発光していなかった。しかし、左方向Ｙ１および右方向Ｙ２の印刷において、インクが記録紙５に吐出される前に記録紙５上を通過する紫外線照射装置を発光させてもよい。例えば、低速印刷における第１記録ヘッド４１の左方向Ｙ１の印刷において、第１紫外線照射装置５１は発光していてもよい。一方、右方向Ｙ２の印刷において、第２紫外線照射装置５２は発光していてもよい。これは特に、マルチパスによる印刷において有効である。マルチパスによる印刷とは、記録ヘッドの各ノズルを複数のパスに分割し、記録ヘッドを複数回走査することによって、各一走査において、異なるパスで記録紙５の同一の記録領域に補完的に印刷をすることで、同一の記録領域内の印刷を完成させるものである。この場合、紫外線照射装置が記録紙５上を複数回通過して発光するため、記録紙５に吐出されたインクを十分に硬化させることができる。
【０１０５】
なお、高速印刷において、インクが記録紙５に吐出される前に記録紙５上を通過する紫外線照射装置を発光させる、すなわち、紫外線照射装置５１、５２、５３、５４を点灯させる場合、それぞれの紫外線照射装置５１、５２、５３、５４の照度を異ならせてもよい。例えば、第１記録ヘッド４１および第２記録ヘッド４２による印刷において、左方向Ｙ１および右方向Ｙ２に移動しているときに吐出したインクが記録紙５に着弾後、紫外線によって硬化を開始するまでのタイミングが異なることで、各インクのドット径がばらつくおそれがある。このとき、紫外線照射装置５１、５２、５３、５４の照度を異ならせることで、それぞれのインクのドット径のばらつきを抑えることができる。
【０１０６】
例えば、低速印刷時の第１記録ヘッド４１による印刷における、第１紫外線照射装置５１および第２紫外線照射装置５２の照度を基準照度とする。このとき、例えば、高速印刷時の第１記録ヘッド４１による印刷の場合、第３紫外線照射装置５３および第４紫外線照射装置５４の照度を基準照度よりも弱くし、第１紫外線照射装置５１および第２紫外線照射装置５２の照度を基準照度よりも強くする。このことによって、第１記録ヘッド４１に最も近い位置に配置されている第３紫外線照射装置５３が、右方向Ｙ２において印刷直後に照射を行う際、照度を基準照度よりも弱くすることで、インクが硬化する速度を遅らせることができる。よって、紫外線照射装置５１、５２、５３、５４の照度を均一にする場合に比べて、左方向Ｙ１および右方向Ｙ２に移動しているときに吐出したインクのドット径のばらつきを抑えることができる。なお、第１紫外線照射装置５１および第３紫外線照射装置５３を１つのＬＥＤアレイ型で構成した場合、第１紫外線照射装置５１および第３紫外線照射装置５３に該当する領域の間に位置するＬＥＤを、図９に示したような照度カーブの照度分布を持つように点灯させて照射させてもよい。また、第２紫外線照射装置５２および第４紫外線照射装置５４を１つのＬＥＤアレイ型で構成した場合、第２紫外線照射装置５２および第４紫外線照射装置５４に該当する領域の間に位置するＬＥＤを、図９に示したような照度カーブの照度分布を持つように点灯させて照射させてもよい。このことによっても、同様の効果が得られる。
【０１０７】
上記各実施形態では、記録ヘッドとして、第１記録ヘッド４１と第２記録ヘッド４２とを備えていた。しかし、図１０に示すように、３つの記録ヘッド、すなわち、第１記録ヘッド４１と第２記録ヘッド４２と第３記録ヘッド４７とを備えてもよい。この場合、例えば、第１記録ヘッド４１は、プロセスカラーインクを吐出する。第２記録ヘッド４２は、特色インクのうちグロスインクを吐出する。第３記録ヘッド４７は、特色インクのうちホワイトインクおよび／またはプライマーインクを吐出する。第１記録ヘッド４１の右側に第３記録ヘッド４７が配置され、第３記録ヘッド４７の右側に第２記録ヘッド４２が配置される。第１記録ヘッド４１の左側に第３紫外線照射装置５３が配置され、第３紫外線照射装置５３の左側に第１紫外線照射装置５１が配置される。第２記録ヘッド４２の右側に第２紫外線照射装置５２が配置され、第２紫外線照射装置５２の右側に第４紫外線照射装置５４が配置される。
【０１０８】
このとき、第１記録ヘッド４１の主走査方向Ｙの中間位置Ｌ１と第１紫外線照射装置５１の主走査方向Ｙの中間位置Ｌ３とについての主走査方向Ｙの距離Ｄ１は、第１記録ヘッド４１の主走査方向Ｙの中間位置Ｌ１と第２紫外線照射装置５２の主走査方向Ｙの中間位置Ｌ４とについての主走査方向Ｙの距離Ｄ２と等しい。第２記録ヘッド４２の主走査方向Ｙの中間位置Ｌ２と第３紫外線照射装置５３の主走査方向Ｙの中間位置Ｌ５とについての主走査方向Ｙの距離Ｄ３は、第２記録ヘッド４２の主走査方向Ｙの中間位置Ｌ２と第４紫外線照射装置５４の主走査方向Ｙの中間位置Ｌ６とについての主走査方向Ｙの距離Ｄ４と等しい。第３記録ヘッド４７の主走査方向Ｙの中間位置Ｌ７と第３紫外線照射装置５３の主走査方向Ｙの中間位置Ｌ５とについての主走査方向Ｙの距離Ｄ５は、第３記録ヘッド４７の主走査方向Ｙの中間位置Ｌ７と第２紫外線照射装置５２の主走査方向Ｙの中間位置Ｌ４についての主走査方向Ｙの距離Ｄ６と等しい。また、第３記録ヘッド４７の主走査方向Ｙの中間位置Ｌ７と第１紫外線照射装置５１の主走査方向Ｙの中間位置Ｌ３とについての主走査方向Ｙの距離Ｄ７は、第３記録ヘッド４７の主走査方向Ｙの中間位置Ｌ７と第４紫外線照射装置５４の主走査方向Ｙの中間位置Ｌ６とについての主走査方向Ｙの距離Ｄ８と等しい。このことによっても、上記実施形態と同様の効果が得られる。
【符号の説明】
【０１０９】
１、１Ａ  プリンタ（インクジェットプリンタ）
５  記録紙（記録媒体）
２０  ガイドレール
４１  第１記録ヘッド
４２  第２記録ヘッド
５１  第１紫外線照射装置
５２  第２紫外線照射装置
５３  第３紫外線照射装置
５４  第４紫外線照射装置
６０  制御装置
６１  第１印刷部
６２  第２印刷部
【図１】
2015205407.tif 000003
【図２】
2015205407.tif 000004
【図３】
2015205407.tif 000005
【図４】
2015205407.tif 000006
【図５】
2015205407.tif 000007
【図６】
2015205407.tif 000008
【図７】
2015205407.tif 000009
【図８】
2015205407.tif 000010
【図９】
2015205407.tif 000011
【図１０】
2015205407.tif 000012
【図１１】
2015205407.tif 000013